(57)【特許請求の範囲】
【請求項１】
商用車用のディスクブレーキ（１００）であって、
ブレーキディスク（２）に跨がる、摺動キャリパとして形成されるブレーキキャリパ（１）であって、不動のブレーキ支持体（６）に取り付けられており、中央の開口（４１）を前記ブレーキディスク（２）の上方に有するブレーキキャリパ（１）と、
前記ブレーキキャリパ（１）内に配置された２つの、互いに反対方向に可動なブレーキパッド（３）であって、それぞれ、ライニング支持プレート（４）と、前記ライニング支持プレート（４）に取り付けられた摩擦ライニング（５）とを有し、前記ブレーキパッド（３）のうちの一方の作用側あるいは作動側のブレーキパッド（３）は、作動装置により少なくとも１つのブレーキピストンを介して前記ブレーキディスク（２）に圧着可能であるブレーキパッド（３）と、
前記ブレーキキャリパ（１）を制動に起因する前記ブレーキキャリパ（１）の移動および前記ディスクブレーキの解除後に戻すことが可能な少なくとも１つの戻し装置であって、対向する前記ブレーキパッド（３）に作用する、それぞれの作動方向とは反対方向に同様に作用する拡開装置（８）を有し、前記拡開装置（８）は、それぞれの前記ライニング支持プレート（４）に作用するばね式の拡開要素を有する戻し装置と、
を備えるディスクブレーキ（１００）において、
前記拡開装置（８）は、前記中央の開口（４１）内に配置されており、かつ前記ブレーキ支持体（６）に取着された保持アーチに結合された複数のばね腕（２０）を有し、該ばね腕のうちのそれぞれ２つは、対応する１つのライニング支持プレート（４）に当接し、前記ばね腕（２０）は前記開口（４１）の中央の領域で互いに結合されており、前記拡開要素は、片面の前記摩擦ライニング（５）外で、前記ブレーキパッド（３）の中央領域に、前記開口（４１）の中央にある前記中央の領域を起点に内から外に、前記中央に関して互いに間隔を置いて配置された少なくとも２つの当接領域に向かって延在するとともに直接的または間接的に作用し、前記当接領域は、それぞれ、当接面（４５，３０３）と載置面（４ｃ，４６，３０５）とを有し、前記当接面（４５，３０３）および前記載置面（４ｃ，４６，３０５）に前記拡開要素は摺動可能に接触して配置されている、
ことを特徴とする、商用車用のディスクブレーキ（１００）。
【請求項２】
前記拡開要素は、前記開口（４１）の前記中央に関して等しく互いに間隔を置いて配置された前記当接領域に向かって延在することを特徴とする、請求項１記載のディスクブレーキ（１００）。
【請求項３】
前記開口（４１）の前記中央の領域は、前記ブレーキディスク（２）の平面に対して略平行に前記開口（４１）のバーチャルな中心の両側に前記開口（４１）の長手方向軸線の３０〜５０％の範囲の長さで延在することを特徴とする、請求項１または２記載のディスクブレーキ（１００）。
【請求項４】
前記保持アーチ（２１）は、互いに反対側に位置する、前記ブレーキ支持体（６）に結合された２つのヨーク（１２）に取着されていることを特徴とする、請求項１から３いずれか１項記載のディスクブレーキ。
【請求項５】
前記保持アーチ（２１）は、１つのパッドチャネルを画定する２つのブレーキ支持体凸部（２５）に結合されており、前記保持アーチ（２１）は、対向する２つの端部脚片（２７）と、１つの中央脚片（２６）とを有してＣ字形に成形されていることを特徴とする、請求項１から４いずれか１項記載のディスクブレーキ。
【請求項６】
前記端部脚片（２７）は、それぞれ１つの舌片（２９）を有し、前記舌片（２９）内には、前記ブレーキ支持体凸部（２５）のスタッド（３０）が差し込まれていることを特徴とする、請求項５記載のディスクブレーキ。
【請求項７】
前記ばね腕（２０）および／または前記保持アーチ（２１）は、半径方向で前記ブレーキ支持体（６）に支持されていることを特徴とする、請求項１から６いずれか１項記載のディスクブレーキ。
【請求項８】
各前記ばね腕（２０）は、端部側で、フォーク形のばね端部（３００）を有して形成されていて、支持脚片（３１）と圧接脚片（３２）とを形成しており、前記支持脚片（３１）は、前記ライニング支持プレート（４）の狭幅面の前記載置面（３０５）に可動に載置されており、前記圧接脚片（３２）は、前記ライニング支持プレート（４）の、前記摩擦ライニング（５）側の面の当接面（３０３）に可動に加圧接触していることを特徴とする、請求項１から７いずれか１項記載のディスクブレーキ。
【請求項９】
前記載置面（３０５）は、水平に対して３〜１５゜の範囲内にある角度（３０６）をなして配置されていることを特徴とする、請求項８記載のディスクブレーキ。
【請求項１０】
前記当接面（３０３）は、前記ライニング支持プレート（４）から突出するか、または前記ライニング支持プレート（４）内に凹設されていることを特徴とする、請求項８または９記載のディスクブレーキ。
【請求項１１】
前記当接面（３０３）に突出部（３０４）が設けられており、前記突出部（３０４）は、前記当接面（３０３）から前記支持脚片（３１）と前記圧接脚片（３２）との間のスリット（３０１）内に突出することを特徴とする、請求項８から１０いずれか１項記載のディスクブレーキ。
【請求項１２】
各前記ばね腕（２０）は、端部側で、圧接脚片（３２）を有するばね端部（３００）を有して形成されており、前記圧接脚片（３２）は、前記ライニング支持プレート（４）の、前記摩擦ライニング（５）側の面の支持部分（４４）と接触し、このとき前記圧接脚片（３２）は、当接部分（３２ａ）でもって前記ライニング支持プレート（４）の前記支持部分（４４）の当接面（４５）に可動に加圧接触していると同時に、載置部分（３２ｂ）でもって前記ライニング支持プレート（４）の前記支持部分（４４）の載置面（４６）に可動に載置されていることを特徴とする、請求項１から７いずれか１項記載のディスクブレーキ。
【請求項１３】
前記圧接脚片（３９ｂ）と、該圧接脚片（３９ｂ）に対して直角に位置する支持脚片（３９ａ）とが、屈曲耳部（３９）の形態で形成されていることを特徴とする、請求項１２記載のディスクブレーキ。
【請求項１４】
前記支持部分（４４）は、前記当接面（４５）と前記載置面（４６）とを有して前記ライニング支持プレート（４）内に作り込まれていることを特徴とする、請求項１２または１３記載のディスクブレーキ。
【請求項１５】
前記ばね腕（２０）は、前記ライニング支持プレート（４）の前記当接領域において、前記当接面に面した側で凸に成形されていることを特徴とする、請求項１から１４いずれか１項記載のディスクブレーキ。
【請求項１６】
少なくとも一方のブレーキパッド（３）に割り当てられた前記ばね腕（２０）は、端部側で、前記ライニング支持プレート（４）に当接するばねウェブ（３８）と、接続ウェブ（３７）とを有し、前記接続ウェブ（３７）は、前記ブレーキ支持体（６）、好ましくはブレーキ支持体凸部（２５）に結合されていることを特徴とする、請求項１から１５いずれか１項記載のディスクブレーキ。
【請求項１７】
前記ばね式の拡開要素は、両前記ブレーキパッド（３）のそれぞれ１つのブレーキパッド（３）に割り当てられた２つの帯状ばね（９）からなり、前記帯状ばね（９）は、端部側で、前記ブレーキ支持体（６）に結合されたヨーク（１２）に保持されており、前記中央領域で形状結合を介して前記ブレーキパッド（３）のパッド保持ばね（７）内に係合することを特徴とする、請求項１から３いずれか１項記載のディスクブレーキ。
【請求項１８】
前記帯状ばね（９）には、それぞれ、前記ライニング支持プレート（４）に向かって方向付けられた当接ヨーク（２４）が設けられており、前記当接ヨーク（２４）は、前記ライニング支持プレート（４）の当接部（１９）に当接することを特徴とする、請求項１７記載のディスクブレーキ。
【請求項１９】
前記帯状ばね（９）は、前記ヨーク（１２）に軸方向で留められているか、または移動自在に保持されていることを特徴とする、請求項１７または１８記載のディスクブレーキ。
【請求項２０】
前記拡開装置（８）は、交差するばね脚片（１８）を有し、前記ばね脚片（１８）は、相対回動不能に前記保持アーチ（２１）に取り付けられており、その隣り合う自由端部でもって前記ライニング支持プレート（４）に中央で当接することを特徴とする、請求項１から３いずれか１項記載のディスクブレーキ。
【請求項２１】
前記拡開装置（８）は、２つの板ばね（１７）を有し、前記板ばね（１７）は、一方の端部でもってそれぞれ１つのヨーク（１２）に取り付けられている一方、他方の端部には、それぞれ、はさみ状機構部材（１６）が保持されており、前記はさみ状機構部材（１６）は、前記ライニング支持プレート（４）に接続されていることを特徴とする、請求項１から３いずれか１項記載のディスクブレーキ。
【請求項２２】
前記板ばね（１７）は、前記ブレーキの作動時、半径方向外向きに変形されていることを特徴とする、請求項２１記載のディスクブレーキ。
【請求項２３】
前記ライニング支持プレート（４）には、互いに向かい合った側に、ばね式の少なくとも１つの当接脚片（２２）が当接し、前記当接脚片（２２）は、ループ形に形成され、ヨーク（１２）に堅固に結合されていることを特徴とする、請求項１記載のディスクブレーキ。
【請求項２４】
各拡開装置（８）は、前記ライニング支持プレート（４）の、前記摩擦ライニング（５）から背離した背面に回り止めされて接続されたばねヨーク（１４）と、当接脚片（２２）とからなり、前記ばねヨーク（１４）および前記当接脚片（２２）は、前記ブレーキ支持体（６）に支持されていることを特徴とする、請求項１記載のディスクブレーキ。
【請求項２５】
前記ばねヨーク（１４）および前記当接脚片（２２）は、前記ライニング支持プレート（４）の懸架部（１５）内に保持されており、前記ライニング支持プレート（４）の長手延在方向で前記ばねヨーク（１４）および前記当接脚片（２２）の取り付け端部は、互いにずらされて配置されていることを特徴とする、請求項２４記載のディスクブレーキ。
【請求項２６】
各前記ばね腕（２０）は、端部側に、取り付け部分（２０ａ）を有するばね端部（３００）を有して形成されており、前記取り付け部分（２０ａ）は、その長手方向で長穴（４８）を有して形成されており、前記長穴（４８）は、前記拡開装置（８）の前記ばね端部（３００）用のガイド部分であることを特徴とする、請求項１から７いずれか１項記載のディスクブレーキ。
【請求項２７】
各前記取り付け部分（２０ａ）は、それぞれのライニング支持プレート（４）の載置面（４ｃ）にそれぞれ載置されており、各前記取り付け部分（２０ａ）の前記長穴（４８）は、それぞれ、前記ライニングバックプレート（４）の当接面と協働することを特徴とする、請求項２６記載のディスクブレーキ。
【請求項２８】
前記ライニング支持プレート（４）に堅固に結合された棒体（４７）が、前記ライニング支持プレート（４）の、それぞれの前記長穴（４８）と協働する前記当接面を有し、前記載置面（４ｃ）は、それぞれ、前記ブレーキディスク（２）に対して接線方向で延び、一平面内に位置することを特徴とする、請求項２７記載のディスクブレーキ。
【請求項２９】
前記長穴（４８）は、前記ライニング支持プレート（４）の輪郭（５０）と協働するガイド開口（３２ｃ）を形成し、前記輪郭（５０）は、スタッド（５１）または突出部（５２，５３，５４）として形成されていることを特徴とする、請求項２７記載のディスクブレーキ。
【請求項３０】
前記輪郭（５０）は、前記ライニング支持プレート（４）から前記ブレーキディスク（２）に関して軸方向、半径方向または／および接線方向で突出することを特徴とする、請求項２９記載のディスクブレーキ。
【請求項３１】
前記輪郭（５０）は、パッド保持ばね（７）用の保持手段を形成する突出部（４９）であることを特徴とする、請求項２９または３０記載のディスクブレーキ。
【請求項３２】
各ばね腕（２０）は、端部側で、圧接脚片（３２）を有するばね端部（３００）を有して形成されており、前記圧接脚片（３２）は、前記ライニング支持プレート（４）の、前記摩擦ライニング（５）に面した側のガイド突出部（５５）と接触し、このとき前記圧接脚片（３２）は、第１の当接部分（３２ａ）でもって前記ライニング支持プレート（４）の当接面（４５）に可動に加圧接触していると同時に、前記第１の当接部分（３２ａ）に対して直角に配置される第２の当接部分（３２ｄ）でもって前記ガイド突出部（５５）のガイド面（５５ａ）に可動に当接していることを特徴とする、請求項１から７いずれか１項記載のディスクブレーキ。
【請求項３３】
前記ガイド突出部（５５）は、直方体形に形成されており、前記ライニング支持プレート（４）の角隅領域の上側のエッジの下方で、前記ライニング支持プレート（４）のライニング側（４ｂ）に配置されていることを特徴とする、請求項３２記載のディスクブレーキ。
【請求項３４】
前記拡開装置（８）は、付加的な少なくとも１つの戻し要素（５７，６２；６６，６７）を有し、前記少なくとも１つの戻し要素（５７，６２；６６，６７）は、前記ばね腕（２０）の単数または複数の作用点に加え、別の作用点においてブレーキパッド（３）のそれぞれの前記ライニング支持プレート（４）に作用することを特徴とする、請求項１から３３いずれか１項記載のディスクブレーキ。
【請求項３５】
前記少なくとも１つの戻し要素（５７）は、一部分でもって作動側のブレーキパッド（３）の前記ライニング支持プレート（４）の下側の領域で前記ライニング支持プレート（４）のプレッシャ側（４ｆ）において保持部分（５６）に取り付けられており、前記少なくとも１つの戻し要素（５７）は、別の一部分でもって前記ブレーキキャリパ（１）の作動部（１ａ）のベースプレート（１ｅ）の下側の領域に取着されていることを特徴とする、請求項３４記載のディスクブレーキ。
【請求項３６】
前記少なくとも１つの戻し要素（５７）は、１つの中央部分（５８）と、２つのばね腕（５９）と、それぞれ１つのＵ字形の舌片（６１）を有する２つの取り付け部分（６０）とを有するばね要素として形成されており、前記中央部分（５８）は、前記ライニング支持プレート（４）の前記保持部分（５６）に取り付けられており、各前記ばね腕（５９）は、前記取り付け部分（６０）により前記ベースプレート（１ｅ）に取着されていることを特徴とする、請求項３５記載のディスクブレーキ。
【請求項３７】
前記拡開装置（８）は、付加的な少なくとも１つの別の戻し要素（６２）を有し、前記少なくとも１つの別の戻し要素（６２）は、前記背部側のブレーキパッド（３）の前記ライニング支持プレート（４）の下側の領域と、前記ブレーキキャリパ（１）のキャリパ背部（１ｂ）との間に配置されていることを特徴とする、請求項３４から３６いずれか１項記載のディスクブレーキ。
【請求項３８】
前記少なくとも１つの別の戻し要素（６２）は、一種の板ばねとして、それぞれ１つのばね端部（６４，６５）を有するばね体（６３）を有して形成されており、一方の前記ばね端部（６４）は、前記背部側のライニング支持プレート（４）の下側の領域で前記背部側のライニング支持プレート（４）のプレッシャ側（４ｆ）において保持部分（５６ａ）に撓曲自在に取り付けられており、他方の前記ばね端部（６５）は、前記ブレーキキャリパ（１）の前記キャリパ背部（１ｂ）の取り付け部分（１ｄ）に撓曲自在に取り付けられていることを特徴とする、請求項３７記載のディスクブレーキ。
【請求項３９】
前記拡開装置（８）は、付加的な少なくとも２つの戻し要素（６６，６７）を有し、前記少なくとも２つの戻し要素（６６，６７）は、対向し、ばねの形態で形成されており、各戻し要素（６６，６７）は、一方の端部でもって前記拡開装置（８）の一部分または／およびパッド保持ヨーク（２８）に取り付けられており、各戻し要素（６６，６７）の各自由端部は、それぞれ１つの圧接脚片（６６ａ，６７ａ）でもって各ブレーキパッド（３）のそれぞれの前記ライニング支持プレート（４）と接触することを特徴とする、請求項３４記載のディスクブレーキ。
【請求項４０】
付加的な前記少なくとも２つの戻し要素（６６，６７）は、それぞれ、摩擦ライニング（５）と、それぞれの前記ライニング支持プレート（４）のライニング側（４ｂ）との間の縦長の中間室内に配置されており、前記圧接脚片（６６ａ，６７ａ）のそれぞれは、それぞれの前記ライニング支持プレート（４）の前記ライニング側（４ｂ）と接触し、それぞれ、押圧力を前記ブレーキディスク（２）から離間する方向で前記ブレーキパッド（３）に及ぼすことを特徴とする、請求項３９記載のディスクブレーキ。
【請求項４１】
請求項１から４０いずれか１項記載のディスクブレーキ（１００）用のブレーキパッドセットであって、
それぞれライニング支持プレート（４）と、前記ライニング支持プレート（４）に取着された摩擦ライニング（５）とを有する少なくとも２つのブレーキパッド（３）と、
請求項１から４０いずれか１項記載の拡開装置（８）と、
を備えるブレーキパッドセットにおいて、
前記ライニング支持プレート（４）は、片面の前記摩擦ライニング（５）外において、中央領域に、または中央に関して互いに間隔を置いて配置された少なくとも２つの当接領域に、それぞれ、当接面（４５，３０３）と載置面（４６，３０５）とを有する、
ことを特徴とするブレーキパッドセット。
【請求項４２】
前記当接領域の前記載置面（３０５）は、水平に対して３〜１５゜の範囲内にある角度（３０６）をなして配置されていることを特徴とする、請求項４１記載のブレーキパッドセット。
【請求項４３】
前記当接面（３０３）は、前記ライニング支持プレート（４）から突出するか、または前記ライニング支持プレート（４）内に凹設されていることを特徴とする、請求項４２記載のブレーキパッドセット。
【請求項４４】
前記当接面（３０３）に突出部（３０４）が設けられており、前記突出部（３０４）は、前記当接面（３０３）から突出することを特徴とする、請求項４２または４３記載のブレーキパッドセット。
【請求項４５】
前記当接領域は、前記当接面（４５）と前記載置面（４６）とを有して前記ライニング支持プレート（４）内に作り込まれた支持部分（４４）を有することを特徴とする、請求項４１記載のブレーキパッドセット。
【請求項４６】
前記当接面（４５）は、前記ライニング支持プレート（４）の、前記摩擦ライニング（５）が設けられた側の面に対して前記摩擦ライニング（５）から離間する方向にオフセットされて延びることを特徴とする、請求項４５記載のブレーキパッドセット。
【請求項４７】
前記ライニング支持プレート（４）には、それぞれの前記ライニング支持プレート（４）から突出するか、またはそれぞれの前記ライニング支持プレート（４）内に凹設されている少なくとも１つの輪郭（５０）が設けられていることを特徴とする、請求項４１記載のブレーキパッドセット。
【請求項４８】
前記少なくとも１つの輪郭（５０）は、パッドコーディングを形成することを特徴とする、請求項４７記載のブレーキパッドセット。
【請求項４９】
作動側のブレーキパッド（３）の前記ライニング支持プレート（４）に少なくとも１つの戻し要素（５７）が設けられていることを特徴とする、請求項４１記載のブレーキパッドセット。
【請求項５０】
背部側のブレーキパッド（３）の前記ライニング支持プレート（４）に少なくとも１つの戻し要素（６２）が設けられていることを特徴とする、請求項４１または４９記載のブレーキパッドセット。
【請求項５１】
それぞれ１つの縦長の中間室が、摩擦ライニング（５）と、それぞれの前記ライニング支持プレート（４）のライニング側（４ｂ）との間に配置されていることを特徴とする、請求項４１記載のブレーキパッドセット。
【請求項５２】
商用車用のディスクブレーキであって、
ブレーキディスク（２）に跨がる、摺動キャリパとして形成されるブレーキキャリパ（１）であって、不動のブレーキ支持体（６）に取り付けられているブレーキキャリパ（１）と、
前記ブレーキキャリパ（１）内に配置された２つの、互いに反対方向に可動なブレーキパッド（３）であって、それぞれ、ライニング支持プレート（４）と、前記ライニング支持プレート（４）に取り付けられた摩擦ライニング（５）とを有し、前記ブレーキパッド（３）のうちの一方の作用側のブレーキパッド（３）は、作動装置により少なくとも１つのブレーキピストンを介して前記ブレーキディスク（２）に圧着可能であるブレーキパッド（３）と、
前記ブレーキキャリパ（１）を制動に起因する前記ブレーキキャリパ（１）の移動および前記ディスクブレーキの解除後に戻すことが可能な少なくとも１つの戻し装置と、
を備えるディスクブレーキにおいて、
前記戻し装置は、対向する前記ブレーキパッドに作用する、それぞれの作動方向とは反対方向に同様に作用する拡開装置（８）からなり、
該拡開装置（８）は、それぞれの前記ライニング支持プレート（４）に作用するばね式の拡開要素を有し、該拡開要素は、片面の前記摩擦ライニング（５）外において、中央領域に、または中央に関して等しく互いに間隔を置いて配置された少なくとも２つの当接領域に作用し、前記ばね式の拡開要素は、両前記ブレーキパッド（３）のそれぞれ１つのブレーキパッド（３）に割り当てられた２つの帯状ばね（９）からなり、該帯状ばね（９）は、端部側で、前記ブレーキ支持体（６）に結合されたヨーク（１２）に保持されており、前記中央領域で形状結合を介して前記ブレーキパッド（３）のパッド保持ばね（７）内に係合することを特徴とする、商用車用のディスクブレーキ。
【請求項５３】
前記帯状ばね（９）には、それぞれ、前記ライニング支持プレート（４）に向かって方向付けられた当接ヨーク（２４）が設けられており、前記当接ヨーク（２４）は、前記ライニング支持プレート（４）の当接部（１９）に当接することを特徴とする、請求項５２記載のディスクブレーキ。
【請求項５４】
前記帯状ばね（９）は、前記ヨーク（１２）に軸方向で留められているか、または移動自在に保持されていることを特徴とする、請求項５２または５３記載のディスクブレーキ。
【請求項５５】
前記拡開装置（８）は、複数のばね腕（２０）を有し、前記ばね腕（２０）のうちのそれぞれ２つは、対応するライニング支持プレート（４）に当接し、前記ばね腕（２０）は、中央の領域で互いにかつ保持アーチ（２１）に結合されており、前記保持アーチ（２１）は、前記ブレーキ支持体（６）に結合された対向する２つのヨーク（１２）に接続されていることを特徴とする、請求項５２から５４いずれか１項記載のディスクブレーキ。
【請求項５６】
前記拡開装置（８）は、交差するばね脚片（１８）を有し、前記ばね脚片（１８）は、相対回動不能に前記保持アーチ（２１）に取り付けられており、その隣り合う自由端部でもって前記ライニング支持プレート（４）に中央で当接することを特徴とする、請求項５２から５５いずれか１項記載のディスクブレーキ。
【請求項５７】
前記拡開装置（８）は、２つの板ばね（１７）を有し、前記板ばね（１７）は、一方の端部でもってそれぞれ１つのヨーク（１２）に取り付けられている一方、他方の端部には、それぞれ、はさみ状機構部材（１６）が保持されており、前記はさみ状機構部材（１６）は、前記ライニング支持プレート（４）に接続されていることを特徴とする、請求項５２から５６いずれか１項記載のディスクブレーキ。
【請求項５８】
前記板ばね（１７）は、前記ブレーキの作動時、半径方向外向きに変形されていることを特徴とする、請求項５２から５７いずれか１項記載のディスクブレーキ。
【請求項５９】
前記ライニング支持プレート（４）には、互いに向かい合った側に、ばね式の少なくとも１つの当接脚片（２２）が当接し、前記当接脚片（２２）は、ループ形に形成され、前記ヨーク（１２）に堅固に結合されていることを特徴とする、請求項５２から５８いずれか１項記載のディスクブレーキ。
【請求項６０】
各前記拡開装置（８）は、前記ライニング支持プレート（４）の、前記摩擦ライニング（５）から背離した背面に回り止めされて接続されたばねヨーク（１４）からなり、前記ばねヨーク（１４）の自由端部は、前記ブレーキ支持体（６）のブレーキ支持体凸部に支持されていることを特徴とする、請求項５２から５９いずれか１項記載のディスクブレーキ。
【請求項６１】
前記ばねヨーク（１４）は、前記ライニング支持プレート（４）の懸架部（１５）内に保持されており、前記ライニング支持プレート（４）の長手延在方向で前記ばねヨーク（１４）の取り付け端部は、互いにずらされて配置されていることを特徴とする、請求項５２から６０いずれか１項記載のディスクブレーキ。
【発明の詳細な説明】
【技術分野】
【０００１】
本発明は、請求項１の前提部に記載の商用車用のディスクブレーキに関する。本発明は、ブレーキパッドセットにも関する。
【背景技術】
【０００２】
この種の、摺動キャリパ（Ｓｃｈｉｅｂｅｓａｔｔｅｌ）型ブレーキとしても公知のディスクブレーキの場合、制動時、空気圧または電動モータにより操作可能な作動装置を用いて、作用側のブレーキパッドを車両側のブレーキディスクに押し付ける。制動プロセスの以後の経過中、ブレーキキャリパは、ブレーキディスクに関して作用側のブレーキパッドの作動方向とは反対方向に移動して、対向する反作用側のブレーキパッドを連れ動かし、ブレーキディスクの他方の面に圧着させる。
【０００３】
ブレーキの解除後、公知のディスクブレーキの場合、ブレーキキャリパは、両ブレーキパッドのうちの少なくとも反作用側のブレーキパッドが、確かに無圧とはいえ、ブレーキディスクに引きずり接触してしまう位置にとどまる。これにより走行運転中に発生するブレーキパッドの残留引きずりトルクは、燃料消費量を上昇させるとともに、関連する構成部材、すなわちブレーキディスクおよびブレーキパッドの耐用時間を短縮させてしまうという点において不都合に働く。
【０００４】
確かにブレーキパッドは、走行運転中、例えばブレーキディスクの振れおよび振動ならびにカーブ走行時の横加速度により多少は解離される。しかし、この効果は、上述の残留引きずりトルクを効果的に防止するには十分とはいえない。
【０００５】
この問題を解消すべく、下記特許文献１に開示されるこの種のディスクブレーキは、戻し装置を備える。戻し装置は、ブレーキキャリパを移動自在にブレーキ支持体に保持する複数のガイドバーのうちの１つのガイドバー内に配置されており、ブレーキキャリパを初期位置へ移動させるばね式の戻し要素を有している。
【０００６】
原則、この設計は、実証されている。しかし、この公知の戻し装置を、より重量のある商用車の圧縮空気操作式のディスクブレーキにおいて使用することは、問題を招くことがある。それというのも、このような商用車の圧縮空気操作式のディスクブレーキでは、構成部材公差および構成部材変形による影響の変動が、広範に及んでしまい、このことは、この戻し装置の確実な機能を時として不可能にしてしまうことがあるからである。
【０００７】
同等の問題は、下記特許文献２において主題として扱われているディスクブレーキでも生じてしまう。このディスクブレーキの場合、戻し装置は、作動装置に対向した、反作用側のブレーキパッド寄りの側に配置されており、これにより、ブレーキキャリパの効果的な、特に自動的な戻しが達成されると同時に、系の剛性への影響は最小限になる。
【０００８】
いずれにしても戻し装置は、ブレーキキャリパに作用し、ブレーキ支持体は、サポートとして機能している。
【０００９】
下記特許文献３に記載の浮動キャリパ（Ｓｃｈｗｉｍｍｓａｔｔｅｌ）型ディスクブレーキは、ブレーキディスクの外側の縁部を越えて張り出した２つの支持腕を有する不動のブレーキ支持体と、ブレーキディスクの両側に配置され、それぞれ１つの摩擦ライニングと１つのバックプレートとを有するブレーキジョーであって、支持腕に移動自在に支持されているブレーキジョーと、ブレーキ支持体に沿って軸方向で移動自在に案内される浮動キャリパであって、ブレーキジョーを抱持し、ブレーキジョーをブレーキディスクに押し当てるための操作装置を有する浮動キャリパと、ブレーキジョーに対して軸方向のブレーキ解除方向で作用するばね装置であって、制動後、ブレーキジョーとブレーキディスクとの間の空隙の調整を補助するばね装置と、を備える。ばね装置は、少なくとも１つの拡開ばねを有し、拡開ばねは、ブレーキ支持体の支持腕に軸方向で全体的に移動不能に取り付けられており、この取り付けは、支持腕の、ブレーキディスクの外側の縁部を越えて存在する部分で実施され、かつ拡開ばねは、少なくとも２つのばね腕を有し、ばね腕は、ブレーキジョーのバックプレートに軸方向で弾性的に当接している。
【００１０】
下記特許文献４に記載の拡開ばねは、拡開ばねをブレーキコンポーネントに結合する係止腕と、引き戻し腕と、係止腕と引き戻し腕との間に配置されているプリロード装置であって、螺旋形の６つ以上のループを有し、ブレーキ動作中、エネルギを蓄え、制動プロセスが終了すると直ちに、ブレーキコンポーネント（ブレーキパッド）を引き戻すプリロード装置と、を有する。摺動キャリパではないフローティングキャリパ（Ｆａｕｓｔｓａｔｔｅｌ）の形態のブレーキキャリパが記載されている。このブレーキキャリパは、乗用車には好適であるが、商用車には不適である。
【先行技術文献】
【特許文献】
【００１１】
【特許文献１】独国特許出願公開第１０２００７００１２１３号明細書
【特許文献２】独国特許出願公開第１０２０１２００６１１１号明細書
【特許文献３】独国特許出願公開第４３０１６２１号明細書
【特許文献４】米国特許出願公開第２０１４／０３３９０２６号明細書
【発明の概要】
【発明が解決しようとする課題】
【００１２】
本発明の根底にある課題は、この種の形態のディスクブレーキを改良し、構造的に最も簡単な手段を用いて耐用時間、特にブレーキパッドおよびブレーキディスクの耐用時間を延ばし、運転コストを全体として引き下げることである。
【００１３】
別の課題は、相応のブレーキパッドセットを提供することである。
【課題を解決するための手段】
【００１４】
上記課題は、請求項１の特徴を備えるディスクブレーキにより解決される。
【００１５】
上記別の課題は、請求項４４の特徴を備えるブレーキパッドセットにより解決される。
【００１６】
商用車用の本発明に係るディスクブレーキは、ブレーキディスクに跨がる、摺動キャリパとして形成されるブレーキキャリパであって、不動のブレーキ支持体に取り付けられており、中央の開口をブレーキディスクの上方に有するブレーキキャリパと、ブレーキキャリパ内に配置された２つの、互いに反対方向に可動なブレーキパッドであって、それぞれ、ライニング支持プレートと、ライニング支持プレートに取り付けられた摩擦ライニングとを有し、ブレーキパッドのうちの一方の作用側あるいは作動側のブレーキパッドは、作動装置により少なくとも１つのブレーキピストンを介してブレーキディスクに圧着可能であるブレーキパッドと、ブレーキキャリパを制動に起因するブレーキキャリパの移動およびブレーキの解除後に戻すことが可能な少なくとも１つの戻し装置であって、対向するブレーキパッドに作用する、それぞれの作動方向とは反対方向に同様に作用する拡開装置を有し、拡開装置は、それぞれのライニング支持プレートに作用するばね式の拡開要素を有する戻し装置と、を備える。拡開装置は、中央の開口内に配置されており、拡開要素は、片面の摩擦ライニング外で、ブレーキパッドの中央領域に、または中央に関して互いに間隔を置いて配置された少なくとも２つの当接領域に直接的または間接的に作用し、当接領域は、それぞれ、当接面と載置面とを有し、当接面および載置面に拡開要素は可動に配置されている。
【００１７】
ディスクブレーキを本発明のように構成したことで、ブレーキの解除時、両ブレーキパッドの同期的な戻しと、ブレーキキャリパの戻しとが達成される。ここでいう同期性は、戻し力にも、戻し行程にも関する。その際、戻し力は、両ブレーキパッドのそれぞれの作動方向とは反対方向に、つまり、反作用側のブレーキパッドの場合は、キャリパ背部に向かって、そして作用側のブレーキパッドの場合は、キャリパヘッドに向かって作用し、ブレーキディスクに対して間隙を形成する。
【００１８】
両ブレーキパッドにおける拡開装置の作用は、合目的にライニング支持プレートにおいて、具体的には、ライニング支持プレートに取り付けられた摩擦ライニング側の面または反対側の背面で実施される。戻し時にそれぞれのブレーキパッドが傾倒してしまわないように、拡開要素は、中央で、ライニング支持プレートの上側の露出した縁部領域に作用するか、または左右２つの当接領域に対称に作用する。
【００１９】
本発明に係るディスクブレーキ用の本発明に係るブレーキパッドセットは、それぞれライニング支持プレートと、ライニング支持プレートに取着された摩擦ライニングとを有する少なくとも２つのブレーキパッドと、上述の拡開装置と、を備える。ライニング支持プレートは、片面の摩擦ライニング外において、中央領域に、または中央に関して互いに間隔を置いて配置された少なくとも２つの当接領域に、それぞれ、当接面と載置面とを有する。これにより、複数の機能（軸方向および半径方向のばね力伝達、ばね端部案内）が狭小な空間で実現されるという利点が生じる。
【００２０】
一形態において、拡開要素は、開口の中央にある中央の領域を起点に内から外に、中央に関して互いに間隔を置いて配置された当接領域に向かって延在する。拡開要素は、開口の中央にある中央の領域を起点に内から外に、中央に関して等しく互いに間隔を置いて配置された当接領域に向かって延在してもよい。
【００２１】
こうして拡開装置は、ブレーキキャリパの中央に配置されている。拡開装置は同じく、対応する車輪のリムの包絡線内に配置されている。
【００２２】
両拡開要素は、（支持体凸部に関して）中央で互いに結合されている。これにより、小さな公差範囲内で同じばね力が、回入側でも、回出側でも保証され得る。回出側と回入側との間の異なるばね力は、偏摩耗に至らしめるおそれがあるが、パッド毎に１つのばねが片面で作用することで最小化され得る。
【００２３】
別の一形態において、開口の中央の領域は、ブレーキディスクの平面に対して略平行に開口のバーチャルな中心の両側に開口の長手方向軸線の３０〜５０％の範囲の長さで延在する。これにより、ばね力の有利な適合が得られる。
【００２４】
別の一形態において、拡開装置は、複数のばね腕を有し、ばね腕のうちのそれぞれ２つは、対応する１つのライニング支持プレートに当接し、ばね腕は、開口の中央の領域で互いに結合されている。このことは、組み立ておよび保守時の組み込みを容易にする。
【００２５】
本発明の別の一思想によれば、拡開装置は、互いに反対方向に作用する複数の拡開要素、好ましくは弾性的に作用する特にばね要素の形態の拡開要素を有する。
【００２６】
最も簡単な形態では、圧縮ばねが両ブレーキパッド間にコイルばねまたはねじりコイルばねとして配置されている。この場合、ねじりコイルばねは、中央においてブレーキディスクの上方に支持され、例えば、両ブレーキパッドをプリロード下でパッドチャネル内に押し込み可能なパッド保持ヨークに支持されている。コイルばねを使用した場合、原則、ライニング支持プレートにコイルばねの端部を結合すれば、十分な規模の拡開機能を充足するに足る。
【００２７】
本発明の別の一思想によれば、拡開装置は、パッド保持ヨークの代わりに、サポートを形成するブレーキ支持体であって、その内部にブレーキパッドがブレーキディスクに対して同軸に移動自在に支持されたブレーキ支持体と相互作用関係にある。
【００２８】
これに加え、好ましくは、保持アーチが設けられており、保持アーチは、ブレーキディスクに、ブレーキ支持体の、両側でパッドチャネルを画定するブレーキ支持体凸部までの周方向領域で張り渡されているとともに、ブレーキディスクの厚さに関してブレーキディスクの中央に配置されている。保持アーチは、パッド保持ヨークではなく、パッド保持ヨークに取着されていない付加的な構成部材である。
【００２９】
保持アーチは、一形態において、対向する２つの、ブレーキ支持体に結合されるヨークに接続されていてもよい。このことは、簡単な結合を実現する。
【００３０】
あるいは保持アーチが、１つのパッドチャネルの少なくとも２つのブレーキ支持体凸部に接続されていてもよく、両ブレーキパッドに作用する拡開要素は、保持アーチに結合されている。これにより保持アーチは、センタリング装置を形成する。センタリング装置は、固定のマウンティングとしてのブレーキ支持体に対応して構造的に異なって実現されてもよい。
【００３１】
好ましくは、保持アーチは、Ｃ字形の輪郭をなして、ブレーキディスクに上述の寸法で張り渡される１つの中央脚片と、中央脚片に対して同じ方向に方向付けられ、ブレーキ支持体凸部に向かって曲げられた２つの端部脚片とを有して形成されており、端部脚片のうちのそれぞれ１つの端部脚片は、対応するパッドチャネルのブレーキ支持体凸部に取り付けられている。
【００３２】
拡開装置がそのばね腕でもって取り付けられた保持アーチにより、ブレーキの解除後、つまり制動プロセスの終了後、ブレーキキャリパの自動的なセンタリングが実施され、拡開装置の、この意味で固定されたポジショニングによって、ブレーキパッドは、ブレーキキャリパがブレーキディスクに対してセンタリングされるように戻される。
【００３３】
その他の点では、拡開装置は、ブレーキパッドの全摩耗代にわたって有効であるように設計されている。
【００３４】
摩耗が増すにつれ、ブレーキパッドにおける力作用点が変化するので、拡開装置の、ブレーキパッドと接触する機能部分は、それぞれのブレーキパッドのライニング支持プレートに滑り支持されているように形成されている。
【００３５】
ばね脚片の確実な保持、あるいは別の構造的な一変化態様の場合は、ばね腕の確実な保持を、走行運転中の振動負荷時にも保証すべく、ばね腕は、ライニング支持プレートの、パッドチャネルの底に関して上側のエッジに、上述したように同じく滑り支持されている。
【００３６】
その上、拡開装置を適当に設計すれば、パッド保持ばねの使用を省略できる。パッド保持ばねは、従来技術において公知であるようにライニング支持プレートの上側の縁部に取り付けられていて、パッド保持ばねには、パッド保持ヨークが支持されており、その結果、それぞれのブレーキパッドは、プリロード下でブレーキ支持体のパッドチャネル内に保持されている。
【００３７】
本発明による拡開装置の構造的な実現は、構造的に様々に可能であり、このことから、可動の構成部材を実質的に省略することができるという重要な利点が得られる。例外は、当然のことながら、機能のためにばね弾性を利用して変位するばね式の拡開要素である。
【００３８】
而るに可能となった可動の部材の省略は、当然、耐用時間を延ばすように拡開装置に働くとともに、必要な構成部材の数を減らし、これにより、その上、極めて低コストの製造および組み立てが得られる。
【００３９】
別の一形態において、各ばね腕は、端部側で、フォーク形のばね端部を有して形成されていて、支持脚片と圧接脚片とを形成しており、支持脚片は、ライニング支持プレートの狭幅面の載置面に可動に載置されており、圧接脚片は、ライニング支持プレートの、摩擦ライニング側の面の当接面に可動に加圧接触している。こうして、有利には、複数の機能を同時に果たすことができる。すなわち、ばね腕は、押圧力を当接面を介してライニング支持プレートに導入できるだけでなく、ばね腕の運動に関して当接面および載置面により摺動可能に案内もされている。加えてブレーキパッドは、載置面を介してブレーキパッドに導入されるばね力によりブレーキパッドチャネル内に弾性保持され得る。
【００４０】
一形態において、載置面は、水平に対して３〜１５゜の範囲内にある角度をなして配置されていてもよい。
【００４１】
別の一形態において、当接面は、ライニング支持プレートから突出するか、またはライニング支持プレート内に凹設されていてもよい。これにより種々異なるブレーキ構成への有利な適合が可能である。
【００４２】
加えて、当接面に突出部が設けられていてもよく、突出部は、当接面から支持脚片と圧接脚片との間のスリット内に突出する。このことは、正確な案内と、改善された力伝達とを可能にする。
【００４３】
代替的な一形態において、各ばね腕は、端部側で、圧接脚片を有するばね端部を有して形成されており、圧接脚片は、ライニング支持プレートの、摩擦ライニング側の面の支持部分と接触し、このとき圧接脚片は、当接部分でもってライニング支持プレートの支持部分の当接面に可動に加圧接触していると同時に、載置部分でもってライニング支持プレートの支持部分の載置面に可動に載置されている。こうして圧接脚片に２つの機能、すなわち、ばね端部を案内すると同時に、ブレーキパッドに対して軸方向および半径方向でばね力を伝達するという機能と、組み付けスペースおよび材料を削減するという機能とが実現可能であるという利点が得られる。
【００４４】
代替的な形態において、圧接脚片と、圧接脚片に対して直角に位置する支持脚片とが、屈曲耳部の形態で形成されていてもよく、このことは、組み付けスペースを小さくすることができる。
【００４５】
一形態において、好ましくは、支持部分は、当接面と載置面とを有してライニング支持プレート内に作り込まれている。このことは、スペースおよび材料の削減が得られるため、有利である。
【００４６】
載置面は、水平に対して３〜１５゜の範囲内にある角度をなして配置されていてもよい。これによりばね端部の案内は改善される。
【００４７】
当接面が、ライニング支持プレートから突出するか、またはライニング支持プレート内に凹設されていると、これにより、様々な組み込み状況への有利な適合が可能な場合がある。
【００４８】
当接面に突出部が設けられていてもよく、突出部は、当接面から突出している。これにより、ばね端部のより正確な案内が可能である。
【００４９】
特に有利な一形態は、当接領域が、当接面と載置面とを有してライニング支持プレート内に作り込まれた支持部分を有することにより、実現可能である。このことは、スペースおよび材料の削減を生じる。
【００５０】
特に好ましい一形態において、当接面は、ライニング支持プレートの、摩擦ライニングが設けられた側の面に対して摩擦ライニングから離間する方向にオフセットされて延びる。これにより、ライニング支持プレート内でのばね端部の有利な案内が、ばね力伝達とともに小さな組み込みスペースで得られる。
【００５１】
−拡開装置は、２つの拡開要素を有し、第１の拡開要素は、第１のパッドに、第２の拡開要素は、第２のパッドに作用する。両拡開要素は、（支持体凸部に関して）中央で互いに結合されている。これにより、小さな公差範囲内で同じばね力が、回入側でも、回出側でも保証され得る。回出側と回入側との間の異なるばね力は、偏摩耗に至らしめるおそれがあるが、パッド毎に１つのばねが片面で作用することで最小化される。
【００５２】
−作用側および反作用側あるいは加圧部材側およびキャリパ側でのばねの均等な力の印加は、中央ウェブの柔軟な調整により実現可能である。さらに、柔軟な中央ウェブにより、ディスク、パッドおよび支持体の小さな幾何学的なエラー位置は、補償可能である。
【００５３】
−中央ウェブにより、能動型の戻し装置は、容易にポジショニングされ、パッド保持ヨークにより押さえられることができる。有利には、パッド交換時、戻し装置は、問題なく取り外され、一緒に交換され得る。
【００５４】
−支持体凸部間のパッドチャネル全体を利用することで、極めて低いばねレートを有する拡開要素あるいはばねが使用可能であり、これにより、ライニングが摩耗したときでも、概ね一定の力を加えることができる。長いばねたわみにより、拡開要素は、ばね力について広い許容範囲を有していることができる。このばねたわみは、狭い公差を有する一定のばねレートに至る。
【００５５】
−好ましい一実施変化態様では、２つのばねだけが使用される。
【００５６】
−拡開要素は、幾何学的に柔軟な低コストの金属薄板から形成され得る。
【００５７】
−異なる回転点をもったずれにより、より低いばねレート（特許４９４３−図２参照）が形成され得る。有利には、（高コストで場所をとる）多数の巻き数は不要である。
【００５８】
−その他の利点は：
（センタリングの）調整可能性、
パッド側毎にばね定数の適合が可能であり、これにより、内側と外側とで異なって、かつ周囲に、所定の範囲内でより良好に適合可能である点、
中央のセンタリングヨークを介した組み込み−不等に形成される力の補償、
場合によっては「能動的な」キャリパセンタリング、
スパイダ（Ｓｐｉｎｎｅ）の端部に設けられた「フォーク」による能動的なパッドクッション、
である。
【００５９】
別の一形態において、各ばね腕は、端部側に、取り付け部分を有するばね端部を有して形成されており、取り付け部分は、その長手方向で長穴を有して形成されており、長穴は、拡開装置のばね端部用のガイド部分である。これにより、ばね腕とブレーキパッドとの間の相対運動時の案内は、改善され、ばね腕の持ち上がりは、回避される。
【００６０】
この場合、各取り付け部分は、それぞれのライニング支持プレートの載置面にそれぞれ載置されていてもよく、各取り付け部分の長穴は、それぞれ、ライニングバックプレートの当接面と協働する。このことは、簡単かつ効果的な構造を生じる。
【００６１】
而して、例えばライニング支持プレートに堅固に結合された棒体が、ライニング支持プレートの、それぞれの長穴と協働する当接面を有していてもよく、載置面は、それぞれ、ブレーキディスクに対して接線方向で延び、一平面内に位置する。棒体は、低コストで高品質な構成部材であり、しかも組み立て容易である。
【００６２】
代替的な一形態において、長穴は、ライニング支持プレートの輪郭と協働するガイド開口を形成してもよく、輪郭は、スタッドまたは突出部として形成されている。このような輪郭は、ライニング支持プレートを鋳造部品として製造する場合、簡単に一体に鋳造され得る。その際、輪郭は、ライニング支持プレートからブレーキディスクに関して軸方向、半径方向または／および接線方向で突出することができる。輪郭は、一変化態様では凹設されていてもよい。
【００６３】
輪郭は、パッドコーディングを形成可能であることにより別の利点を提供する。例えば作動側のブレーキパッドと、背部側のブレーキパッドとは、互いに異なる輪郭を有していてもよい。
【００６４】
あるいは輪郭は、パッド保持ばね用の保持手段を形成する突出部であってもよい。このことは、特に簡単である。
【００６５】
さらに別の一形態において、各ばね腕は、端部側で、圧接脚片を有するばね端部を有して形成されており、圧接脚片は、ライニング支持プレートの、摩擦ライニングに面した側のガイド突出部と接触し、このとき圧接脚片は、第１の当接部分でもってライニング支持プレートの当接面に可動に加圧接触していると同時に、第１の当接部分に対して直角に配置される第２の当接部分でもってガイド突出部のガイド面に可動に当接している。こうして単純なばね端部が使用される。
【００６６】
この場合、一形態において、ガイド突出部は、直方体形に形成されており、ライニング支持プレートの角隅領域の上側のエッジの下方で、ライニング支持プレートのライニング側に配置されている。このことは、コンパクトな配置を生じる。
【００６７】
別の一形態において、拡開装置は、付加的な少なくとも１つの戻し要素を有し、少なくとも１つの戻し要素は、ばね腕の単数または複数の作用点に加え、別の作用点においてブレーキパッドのそれぞれのライニング支持プレートに作用する。このことは、こうしてブレーキパッドの戻しが補助され得るので、有利である。これにより残留引きずりトルクを防止することができる。
【００６８】
少なくとも１つの戻し要素は、一形態において、一部分でもって作動側のブレーキパッドのライニング支持プレートの下側の領域でライニング支持プレートのプレッシャ側において保持部分に取り付けられていてもよく、この場合、少なくとも１つの戻し要素は、別の一部分でもってブレーキキャリパの作動部のベースプレートの下側の領域に取着されている。こうして有利には、戻し要素により引っ張り力をブレーキパッドに及ぼすことができる。
【００６９】
このとき、少なくとも１つの戻し要素は、１つの中央部分と、２つのばね腕と、それぞれ１つのＵ字形の舌片を有する２つの取り付け部分とを有するばね要素として形成されていてもよく、この場合、中央部分は、ライニング支持プレートの保持部分に取り付けられており、各ばね腕は、取り付け部分によりベースプレートに取着されている。この構成は、簡単かつコンパクトである。ライニング支持プレートへの取り付けは、例えばつめ結合によりライニング支持プレートのピンに迅速かつ簡単に実施され得る。
【００７０】
さらに別の一形態において、拡開装置は、付加的な少なくとも１つの別の戻し要素を有し、少なくとも１つの別の戻し要素は、背部側のブレーキパッドのライニング支持プレートの下側の領域と、ブレーキキャリパのキャリパ背部との間に配置されている。而して背部側のブレーキパッドも、別の戻し要素の補助を受けて戻され、これにより残留引きずりトルクを防止することができる。
【００７１】
このとき、少なくとも１つの別の戻し要素は、一種の板ばねとして、それぞれ１つのばね端部を有するばね体を有して形成されていてもよく、この場合、一方のばね端部は、背部側のライニング支持プレートの下側の領域で背部側のライニング支持プレートのプレッシャ側において保持部分に撓曲自在に取り付けられており、他方のばね端部は、ブレーキキャリパのキャリパ背部の取り付け部分に撓曲自在に取り付けられている。こうして背部側のブレーキパッドにも引っ張り力を及ぼすことができる。
【００７２】
代替的な一形態において、拡開装置は、付加的な少なくとも２つの戻し要素を有し、少なくとも２つの戻し要素は、対向し、ばねの形態で形成されており、各戻し要素は、一方の端部でもって拡開装置の一部分または／およびパッド保持ヨークに取り付けられており、各戻し要素の各自由端部は、それぞれ１つの圧接脚片でもって各ブレーキパッドのそれぞれのライニング支持プレートと接触する。この構成は、構造を簡単にし、各ブレーキパッドには、それぞれの戻し要素により押圧力が及ぼされ、これによりブレーキパッドの戻しを補助することができる。
【００７３】
これに加え、少なくとも２つの付加的な戻し要素は、それぞれ、摩擦ライニングと、それぞれのライニング支持プレートのライニング側との間の縦長の中間室内に配置されており、圧接脚片のそれぞれは、それぞれのライニング支持プレートのライニング側と接触し、それぞれ、押圧力をブレーキディスクから離間する方向でブレーキパッドに及ぼすようになっていてもよい。このことは、ブレーキパッドに変更が加えられないか、加えられても極僅かにすぎないため、有利である。
【００７４】
ブレーキパッドセットにおいて、当接領域の載置面は、水平に対して３〜１５゜の範囲内にある角度をなして配置されている。これにより、ばね腕とブレーキパッドとの相対運動が容易に可能である。
【００７５】
当接面は、ライニング支持プレートから突出するか、またはライニング支持プレート内に凹設されていると、有利である。それというのも、こうして様々な組み込み条件への適合が大きな範囲で可能であるからである。
【００７６】
また、当接面に突出部が設けられていてもよく、この別の突出部は、当接面から突出する。
【００７７】
別の一形態において、当接領域は、当接面と載置面とを有してライニング支持プレート内に作り込まれた支持部分を有していてもよく、これにより省スペースの構造が実現可能である。
【００７８】
当接面は、ライニング支持プレートの、摩擦ライニングが設けられた側の面に対して摩擦ライニングから離間する方向にオフセットされて延びるようになっていてもよい。
【００７９】
ばね腕を案内すべく、ライニング支持プレートには、それぞれのライニング支持プレートから突出するか、またはそれぞれのライニング支持プレート内に凹設されている少なくとも１つの輪郭が設けられていてもよい。これにより運動経路は、簡単に規定可能であり、例えば振動や、衝撃等が生じた際にばね腕が持ち上がってしまう事態は、防止可能である。
【００８０】
別の利点は、作動側のブレーキパッドが、背部側のブレーキパッドとは異なる輪郭を有することで、少なくとも１つの輪郭（５０）が、パッドコーディングを形成することにより得られる。
【００８１】
別の一形態では、作動側のブレーキパッドのライニング支持プレートに少なくとも１つの戻し要素が設けられていてもよい。これによってもコーディングが可能な場合がある。
【００８２】
そして背部側のブレーキパッドのライニング支持プレートにも、少なくとも１つの戻し要素が設けられていてもよい。
【００８３】
ブレーキパッドの一形態において、それぞれ１つの縦長の中間室が、摩擦ライニングと、それぞれのライニング支持プレートのライニング側との間に配置されており、これにより、別の戻し要素のばね腕のための簡単な接触が形成されている。
【００８４】
本発明の別の有利な形態は、従属請求項に記載されている。
【００８５】
以下に、本発明の実施例について添付の図面を参照しながら説明する。
【図面の簡単な説明】
【００８６】
【図１】本発明に係るディスクブレーキの斜視部分上面図である。
【図１ａ】図１に示したディスクブレーキの概略部分拡大断面図である。
【図２】本発明に係るディスクブレーキの斜視部分上面図である。
【図３】本発明の別の実施例のディスクブレーキの要部詳細図である。
【図４】本発明の別の実施例のディスクブレーキの要部詳細図である。
【図５】本発明の別の実施例のディスクブレーキの要部詳細図である。
【図６】本発明の別の実施例のディスクブレーキの要部詳細図である。
【図７】本発明の別の実施例のディスクブレーキの要部詳細図である。
【図８】本発明の別の実施例のディスクブレーキの要部斜視図である。
【図９】本発明の別の実施例のディスクブレーキの要部斜視図である。
【図１０】本発明の別の実施例のディスクブレーキの要部斜視図である。
【図１１】本発明の別の実施例のディスクブレーキの要部斜視図である。
【図１２】本発明の別の実施例のディスクブレーキの要部斜視図である。
【図１３】本発明の別の実施例のディスクブレーキの要部斜視図である。
【図１３ａ】本発明の別の実施例のディスクブレーキの要部斜視図である。
【図１４】本発明の別の実施例のディスクブレーキの要部斜視図である。
【図１５】本発明の別の実施例のディスクブレーキの要部斜視図である。
【図１６】本発明の別の実施例のディスクブレーキの要部斜視図である。
【図１７】本発明の別の実施例のディスクブレーキの要部斜視図である。
【図１８】本発明の別の実施例のディスクブレーキの要部斜視図である。
【図１９】本発明の別の実施例のディスクブレーキの要部斜視図である。
【図２０】本発明の別の実施例のディスクブレーキの要部斜視図である。
【図２１】本発明の別の実施例のディスクブレーキの要部斜視図である。
【図２２】本発明の別の実施例のディスクブレーキの要部斜視図である。
【図２３】本発明の別の実施例のディスクブレーキの要部斜視図である。
【図２４】本発明の別の実施例のディスクブレーキの要部斜視図である。
【図２５】本発明の別の実施例のディスクブレーキの要部斜視図である。
【図２６】本発明の別の実施例のディスクブレーキの要部斜視図である。
【図２７】本発明の別の実施例のディスクブレーキの要部斜視図である。
【図２８】本発明の別の実施例のディスクブレーキの要部斜視図である。
【図２９】ディスクブレーキの別の一実施例の斜視図である。
【図３０】ディスクブレーキのさらに別の一実施例の斜視図である。
【図３１】図３０に示したディスクブレーキの実施例の拡開装置の斜視図である。
【図３２】図３１に示した拡開装置の拡大詳細図である。
【図３３】図３１に示した拡開装置の拡大詳細図である。
【図３４】本発明の別の実施例のディスクブレーキの要部詳細図である。
【図３５】本発明の別の実施例のディスクブレーキの要部詳細図である。
【図３６】本発明の別の実施例のディスクブレーキの要部詳細図である。
【図３７】本発明の別の実施例のディスクブレーキの要部詳細図である。
【図３８】本発明の別の実施例のディスクブレーキの要部詳細図である。
【図３９】本発明の別の実施例のディスクブレーキの要部詳細図である。
【図４０】本発明の別の実施例のディスクブレーキの要部詳細図である。
【図４１】本発明の別の実施例のディスクブレーキの要部詳細図である。
【図４２】付加的な戻し要素を有する拡開装置を備えるディスクブレーキのさらに別の一実施例を示す図である。
【図４３】付加的な戻し要素を有する拡開装置を備えるディスクブレーキのさらに別の一実施例を示す図である。
【図４４】付加的な戻し要素を有する拡開装置を備えるディスクブレーキのさらに別の一実施例を示す図である。
【発明を実施するための形態】
【００８７】
「上」、「下」、「左」、「右」なる概念は、図中でのそれぞれの配置に関する。
【００８８】
ブレーキパッド３あるいはライニング支持プレート４の「上面」および「下面」は、常にブレーキパッド３の組み込み状況に関する。ブレーキパッド３の下面は、例えば図３に明瞭に看取可能であるように、当該ブレーキパッド３の上面と比較して半径方向でブレーキディスク回転軸線２ａの近くに位置する。
【００８９】
図１は、ブレーキディスク２に跨がるブレーキキャリパ１を備える商用車用のディスクブレーキ１００の一部を示している。ブレーキディスク２は、ブレーキディスク回転軸線２ａを有する（図２９参照）。ブレーキキャリパ１は、ブレーキディスク２に関して軸方向で、ブレーキディスク回転軸線２ａ方向で移動自在にブレーキ支持体６に接続されている。このためにブレーキキャリパ１は、ブレーキ支持体６に結合されたガイドバー（図示せず）に支持されている。ブレーキ支持体６は、車両に不動に保持されている。
【００９０】
ブレーキキャリパ１は、作動部１ａ、キャリパ背部１ｂおよび２つのストラット１ｃを有する。作動部１ａは、片面でもってブレーキディスク２の平面に対して平行に、ブレーキディスク２の一方の側で延びている。ブレーキディスク２の他方の側には、同じくブレーキディスク２に対して平行に延びるように、キャリパ背部１ｂが配置されている。キャリパ背部１ｂは、作動部１ａに、それぞれの端部においてそれぞれ１つのストラット１ｃにより結合されている。このときストラット１ｃは、作動部１ａおよびキャリパ背部１ｂに対して略直角に延びている。
【００９１】
作動部１ａは、内室を有し、内室内には、ディスクブレーキ１００の作動装置（図示せず）が配置されている。内室の開口は、ブレーキディスク２に向かっており、ベースシート１ｅと称するプレートにより閉鎖されている（図２９参照）。
【００９２】
作動部１ａと、キャリパ背部１ｂと、ストラット１ｃとは、この配置では、ブレーキディスク２の上方に広がる中央の開口４１をその間に画定している。開口４１は、仮想の長手方向中央線、つまり、ブレーキディスク２の平面内にあり、両ストラット１ｃの仮想の中央を結んだ長手方向中央線を有する。さらに開口４１は、作動部１ａの仮想の中央と、キャリパ背部１ｂの仮想の中央とを結んだ別の仮想の横方向中央線を有する。この長手方向中央線と、この横方向中央線とは、仮想の中心点で交差する。この仮想の中心点は、本明細書では、開口４１のバーチャルな中心と称する。
【００９３】
ブレーキ支持体６内には、ブレーキパッド３が配置されており、ブレーキパッド３は、制動時、両側からブレーキディスク２に圧着可能である。その際、各ブレーキパッド３は、ライニング支持プレート４と、ライニング支持プレート４の、ブレーキディスク２側の面に取り付けられた摩擦ライニング５とを有する。摩擦ライニング５は、機能中、つまり制動時、ブレーキディスク２に押し付けられている。
【００９４】
ブレーキパッド３には、中央の開口４１を通して交換および保守のためにアクセス可能である。ブレーキパッド３は、この中央の開口４１を通して、それぞれの対応するパッドチャネルに装入され、再びパッドチャネルから取り出されることができる。パッドチャネルは、それぞれ、側方でブレーキ支持体凸部２５により画定されている（図８参照）。
【００９５】
制動は、ブレーキキャリパ１の作動部１ａ内の収容室に配置された作動装置を用いてブレーキレバーにより実施される。ブレーキレバーは、ブレーキキャリパ１のドーム２３内に位置決めされている。対応するブレーキパッド３は、作用側または作動側のブレーキパッドともいい、制動時に最初にブレーキディスク２と接触する。以後の経過中、発生する反力により、ブレーキキャリパ１は、反作用側のブレーキパッド３を伴って反対方向に移動し、反作用側のブレーキパッド３は、同様にブレーキディスク２に摩擦接触する。
【００９６】
ブレーキの解除後、対向する両ブレーキパッド３は、戻し装置により、ブレーキディスク２がブレーキパッド３に対して自由に回転するようにブレーキディスク２から解離される。
【００９７】
戻し装置は、少なくとも１つの拡開装置８からなり、拡開装置８は、対向するブレーキパッド３に、本発明に応じて、作動方向とは反対方向に同様に作用する。
【００９８】
図１に示した例では、拡開装置８は、鏡面対称に成形された、ただしその他の点では同一の２つの帯状ばね９からなり、帯状ばね９は、それぞれのライニング支持プレート４のパッド保持ばね７に保持されている。加えて、各帯状ばね９には、舌片１１が一体成形されており、舌片１１は、形状結合を介してパッド保持ばね７のスリット１０内に係合している。
【００９９】
これに対して図１ａは、図１に示したディスクブレーキ１００の概略部分拡大断面図である。この断面は、図１に関して鉛直の、ブレーキディスク回転軸線２ａを通る一平面で切った図である。
【０１００】
帯状ばね９の、ライニング支持プレート４と接触する部分は、帯状ばね９の中央の部分に存在し、本明細書では、加圧部分１１ａと称する。加圧部分１１ａは、上向きに舌片１１により延長されている。加圧部分１１ａは、本例では、パッドばね７をライニング支持プレート４に保持すべくライニング支持プレート４の中央の上側の領域に取着されたクランプ要素７ａに当接している。クランプ要素７ａの一部分は、パッド保持ばね７のスリット１０を貫いて延在している。このスリット１０は、これにより既存のスリットであり、帯状ばね９の舌片１１を形状結合式に係合させるのに利用可能である。
【０１０１】
クランプ要素７ａの、その外面が帯状ばね９の加圧部分１１ａと接触する部分は、その内面ではライニング支持プレート４に当接している。こうして、帯状ばね９の加圧部分１１ａの押圧力は、ライニング支持プレート４に伝達される。この説明は、当然のことながら、その他の帯状ばね９にも当てはまる。
【０１０２】
加えて図１ａは、パッド保持ヨーク２８（図８も参照）を示している。パッド保持ヨーク２８は、ブレーキパッド３の上方に開口４１の横方向あるいはブレーキディスク回転軸線２ａ方向で作動部１ａとキャリパ背部１ｂとの間に配置され、作動部１ａおよびキャリパ背部１ｂに取り付けられている。パッド保持ヨーク２８は、本実施の形態では、パッド保持ヨーク２８の下面の一部領域でクリップ要素７ａ、ひいてはパッド保持ばね７を押圧する。これによりブレーキパッド３は、そのパッドチャネル内に保持される。
【０１０３】
それぞれの帯状ばね９は、端部側で、ブレーキ支持体６に取り付けられたヨーク１２に軸方向で留められて保持されており、両帯状ばね９は、互いに間隔を置いて配置されている。軸方向で留めるために、ヨーク１２には、リテーニング手段１３が、帯状ばね９のそれぞれの端部をリテーニング手段１３間に挟持するように設けられている。
【０１０４】
ブレーキパッド３の作動時、帯状ばね９は、相応に変形し、ばね応力を形成する。その結果、制動の解除後、ブレーキパッド３は、準備されたばね力によりその制動位置から均等に押し出される。
【０１０５】
図２は、本発明の別の一実施例を示しており、本実施例では、拡開装置８が、それぞれ、ばねヨーク１４から形成されている。ばねヨーク１４は、好ましくはばね線材から成形されている。本実施例では、ライニング支持プレート４の各端部領域の、パッド保持ばね７寄りの側に、旋回できるようにこのようなばねヨーク１４が堅固に保持されている。このために、ライニング支持プレート４には、懸架部１５が配置されており、懸架部１５内には、ばねヨーク１４の端部が、ブレーキディスク２に関して半径方向で見て、互いにずらされてかつ回動可能に保持されている。
【０１０６】
図２の場合、懸架部１５は、ばねヨーク１４の各端部のために長方形の軸受部分１５１，１５２を有する。軸受部分１５１，１５２は、結合部１５０により結合されており、軸受部分１５１が、結合部１５０から上方に突出し、軸受部分１５２が、結合部１５０から下方に突出するようになっている。
【０１０７】
懸架部１５は、例えばライニング支持プレート４と一体に、例えば機械加工により形成されていてもよい。懸架部１５は、ライニング支持プレート４に取り付けられていてもよい。
【０１０８】
懸架部１５は、例えば長方形のプレートであってもよく、これについては、さらに下（図２４）でさらに詳しく説明する。
【０１０９】
ばねヨーク１４は、ブレーキ支持体６の、対応するそれぞれ１つのブレーキ支持体凸部に、具体的には、ブレーキディスク２とは反対側の面に当接しているので、ブレーキパッド３の作動時、ばねヨーク１４は、変形し、付勢される。ブレーキの解除時、ブレーキパッド３は、ばねヨーク１４のばね力により、図１に示した実施例と同様、ブレーキパッド３の作動方向とは反対方向に押し戻される。
【０１１０】
図３は、拡開装置８の別の一実施例を示している。図３では、ブレーキキャリパの図示を省略してある。
【０１１１】
この拡開装置８は、ブレーキ支持体６の対向する側にそれぞれ取り付けられたヨーク１２に接続された２つの板ばね１７からなり、板ばね１７の各々は、向かい合う自由端部に２つのはさみ状機構部材１６を支持し、一方のはさみ状機構部材１６は、作用側のブレーキパッド３に旋回自在に取り付けられ、他方のはさみ状機構部材１６は、反作用側のブレーキパッド３に旋回自在に取り付けられている。
【０１１２】
拡開のために加えねばならないばね力は、本実施変化態様では、板ばね１７により達成される。板ばね１７は、ブレーキパッド３の作動時、半径方向外向きに湾曲し、ブレーキの解除時、ばね作用に応じて伸展する。同時に、接続されたはさみ状機構部材１６は、伸展し、ブレーキパッド３は、引き離されるように拡開する。
【０１１３】
図４は、拡開装置８の別の一変化態様を示している。本変化態様の拡開装置８は、交差された２つのばね脚片１８を有し、ばね脚片１８は、可撓に保持アーチ２１に取り付けられている。保持アーチ２１は、上述の板ばね１７の、ブレーキ支持体６への取り付けと同様、同じくブレーキ支持体６に結合されたヨーク１２に保持されており、ブレーキディスク２の厚さに関して中央でブレーキディスク２の一部周囲に張り渡されている。保持アーチは、パッド保持ヨーク２８とは別物である。
【０１１４】
交差されたばね脚片１８の曲げられた端部は、それぞれ、ライニング支持プレート４の当接部１９に当接しているので、このはさみ状の構造は、ブレーキの作動時、つまりブレーキパッド３が軸方向で接近するように動いたとき、拡開する。その際、ばね脚片１８は、保持アーチ２１に取り付けられているため、ばね脚片１８には、ブレーキパッド３の作動時、プリロードが付勢され、ブレーキパッド３は、ブレーキの解除後、このプリロードにより互いに拡開される。
【０１１５】
図５は、２つの同一のばね腕２０からなる拡開装置８を示しており、両ばね腕２０は、中央領域で互いに開口４１の長手方向で結合されているとともに、保持アーチ２１にも結合されている。保持アーチ２１は、ヨーク１２を介してブレーキ支持体６に取り付けられている。
【０１１６】
このとき、ばね腕２０は、ライニング支持プレート４の、互いに反対側に位置する２つの端部領域に、具体的には、上側に突出した縁部領域において当接する。ばね腕２０の端部は、同様に曲げられており、その結果、ブレーキの作動および解除時、ライニング支持プレート面に沿って問題なく滑動することができる。この場合も、作動時に生じたプリロードによって、ブレーキの解除後、ブレーキパッド３を拡開させることができる。
【０１１７】
図６の場合、各拡開装置８は、揺動可能にヨーク１２に結合された当接脚片２２からなり、当接脚片２２は、ループ形にばね線材から形成されており、図５に示したばね腕２０と同じく、それぞれ対応するライニング支持プレート４の縁部領域に同様に当接し、各側の両ばね式の当接脚片２２は、ライニング支持プレート４の向かい合う面に当接している。
【０１１８】
最後に図７は、本発明の別の一変化態様を示しており、本変化態様は、図１に示した形態に概ね対応する。本変化態様でも、それぞれ１つのブレーキパッド３に割り当てられた帯状ばね９が、ライニング支持プレート４の中央、好ましくは当接部１９に作用している。このために帯状ばね９には、外向きに張り出した当接ヨーク２４が設けられている。
【０１１９】
両帯状ばね９をブレーキディスク２に関して中央に調整するため、帯状ばね９は、軸方向で移動自在に、互いに反対側に位置する両ヨーク１２に取り付けられている。
【０１２０】
図８に示した例では、保持アーチ２１は、Ｃ字形に構成されており、ブレーキディスク２の厚さに関してブレーキディスク２の中央に配置され、ブレーキディスク２の周方向で延在する中央脚片２６を有している。中央脚片２６の両側には、それぞれ１つの屈曲された端部脚片２７が接続している。
【０１２１】
図８は、ブレーキパッド３が装入されたブレーキ支持体６のみを示しているのに対し、完全に組み立てられたディスクブレーキ１００の部分図である図９には、図１０にも同じく、端部脚片２７の向かい合った側に舌片２９が設けられていて、舌片２９にはスタッド３０が保持されていることが明瞭に看取可能である。スタッド３０は、ブレーキ支持体凸部２５の孔２５ａ（図２６参照）内に係合している。
【０１２２】
その際、不動の部分を形成するブレーキ支持体６に保持アーチ２１が取り付けられ、ブレーキキャリパ１が、ブレーキ支持体６に対して移動自在に支持されている点において、保持アーチ２１は、ブレーキキャリパ１用のセンタリング装置を形成している。その結果、ブレーキの解除および拡開装置８の拡開後、すなわちブレーキパッド３を押し離した後、ブレーキキャリパ１は、センタリング位置に案内される。
【０１２３】
図１０は、その他、拡開装置８と保持アーチ２１とを有するブレーキパッド３を単独で示している。
【０１２４】
さらに図８および９には、ブレーキキャリパ１に保持されたパッド保持ヨーク２８が、ブレーキパッド３のパッド保持ばね７に支持され、保持アーチ２１を押さえ、付勢していることが看取可能である。
【０１２５】
図１０に看取可能であるように、拡開装置８のばね腕２０は、図５に応じて、中央領域で堅固に互いに結合されている。
【０１２６】
さらに図９および１０に看取可能であるように、ばね腕２０は、それぞれ、その自由端部に支持脚片３１を有している。支持脚片３１は、ライニング支持プレート４の、パッド保持ばね７に割り当てられた縁部に支持されており、走行運転中、振動が生じても、ばね腕２０が、それぞれのライニング支持プレート４への当接を失わないようにしている。その際、支持脚片３１は、パッド保持ばね７と、対応するライニング支持プレート４との間で拘束されており、ライニング支持プレート４は、それぞれの支持脚片３１を案内する部分（図示せず）を有している。これにより、ばね腕２０の傾倒は防止される。
【０１２７】
このことは、拡大して示した図１１に看取可能である。さらに図１１は、湾曲するようにばね腕２０に一体成形された、ばね端部３００の圧接脚片３２を示している。圧接脚片３２は、ライニング支持プレート４の、摩擦ライニング５側の面の縁部に当接し、上述したように傾倒防止手段を形成している。その上、摩擦ライニング５がばね腕２０に衝突することは、防止される。このとき、ライニング支持プレート４の、ブレーキ支持体６から背離した狭幅面に載置される支持脚片３１と、圧接脚片３２とは、スリット３０１を有するフォークの歯を、ばね腕２０のばね端部３００に形成している。既に言及したように、ばね腕２０のばね端部３００は、ライニング支持プレート４との当接領域、つまり圧接脚片３２において、ライニング支持プレート４に向かって凸に湾曲されており、これにより、ライニング支持プレート４に沿った障害なしの滑動を保証することができる。
【０１２８】
ばね端部３００の支持脚片３１は、支持脚片３１の、スリット３０１に面した下面の載置部分３１ａでもって、ライニング支持プレート４の上面の載置面３０５に載置されている。圧接脚片３２は、ライニング支持プレート４に向かう当接部分３２ａでもって、ライニング支持プレート４の当接面３０３と接触している。当接面３０３は、ライニング支持プレート４の、摩擦ライニング５が被着されている面に存在する。この場合、当接面３０３は、摩擦ライニング５の上方の、ライニング支持プレート４の端部領域に配置されている。
【０１２９】
ライニング支持プレート４の上面に設けられた載置面３０５は、仮想の水平に対して、例えば５〜１５゜の範囲内の値を有する角度３０６をなして配置されていてもよい。
【０１３０】
載置面３０５は、ばね腕２０が（例えば摩耗を補償するために）運動方向３０２で動く際の、ばね腕２０のばね端部３００の支持脚片３１用のガイドを形成するとともに、ライニング支持プレート４の上面に向かう方向での支持脚片３１用のストッパを形成する。
【０１３１】
加えて、ライニング支持プレート４の載置面３０５と、ばね腕２０のばね端部３００の支持脚片３１との間の接触は、ブレーキパッド３の、半径方向での緩衝を形成する。このためにライニング支持プレート４、ひいてはブレーキパッド３は、ばね端部３００の支持脚片３１とのこの接触により下向きにパッドチャネルに押し込まれ、かつ緩衝される。拡開装置８が、例えば図１ａに示したように、パッド保持ヨーク２８により固定されている場合、場合によってはブレーキパッド３をパッド保持ばね７なしに構成してもよい。
【０１３２】
当接面３０３は、ばね腕２０が（例えば摩耗を補償する際に）運動方向３０２で動く際の、ばね腕２０のばね端部３００の圧接脚片３２用のガイドを形成するとともに、ブレーキディスク回転軸線２ａに対して平行な、ライニング支持プレート４に向かう方向での圧接脚片３２用のストッパを形成する。
【０１３３】
図示しない一形態では、当接面３０３は、ライニング支持プレート４から突出していても、ライニング支持プレート４内に、例えば溝として凹設されていてもよい。
【０１３４】
当接面３０３と載置面３０５とは、低い摩擦抵抗を有するように、研削等、特別な表面加工が施されたガイド面として設けられていてもよい。
【０１３５】
加えて、ライニング支持プレート４からばね端部３００に向かってスリット３０１内に突出する突出部３０４を設けてもよい。こうしてこの突出部は、ばね端部３００用の付加的なガイドを形成する。
【０１３６】
図１２は、保持アーチ２１の、ブレーキ支持体凸部２５への結合領域における部分拡大図であり、舌片２９は、ブレーキ支持体凸部２５の平らな端面に載置されている。スタッド３０は、リベットとして形成され、ブレーキ支持体凸部２５の孔２５ａ（図２６参照）内に差し込まれていてもよい。スタッド３０は、ブレーキ支持体凸部２５に一体成形されていても、別体の構成部材として既に前もって堅固に挿入されていてもよい。
【０１３７】
図１３には、図８〜１３に応じた拡開装置８の詳細が看取可能である。ばね腕２０の自由端部には、本実施の形態では、それぞれのばね端部３００が、曲げられた圧接脚片３２として構成されている。圧接脚片３２は、それぞれ、図１１で既に上述した当接部分３２ａを有する。加えて圧接脚片３２は、本実施の形態では、圧接脚片３２の下面にそれぞれの載置部分３２ｂを有する。載置部分３２ｂには、載置接触のために、下でさらに説明するように、低い摩擦係数を有する好適な表面性状が設けられている。
【０１３８】
これについて図１３ａは、ブレーキパッド３のライニング支持プレート４の端部領域を、このような圧接脚片３２とともに部分拡大図として示している。ブレーキパッド３は、２つのブレーキ支持体凸部２５間のパッドチャネル内に装入されている。図１３ａは、一方のブレーキ支持体凸部２５のみを示している。このブレーキ支持体凸部２５には、図１２との関連で上述したように、保持アーチ２１の端部脚片２７が取着されている。
【０１３９】
ライニング支持プレート４の端部領域には、本実施の形態では、支持部分４４が設けられている。支持部分４４は、ライニング支持プレート４内に、例えば機械加工により作り込まれている。支持部分４４は、当接面４５と載置面４６とを有する。さらに、この機械加工によって許容誤差は大幅に改善され得る。而して、ブレーキディスク２の中央あるいは中央脚片と、ライニング支持プレート４／ブレーキキャリパ１における作動側あるいは加圧部材側の作用面との間の間隔は、特に一定に維持され得る。
【０１４０】
当接面４５は、ライニング支持プレート４の、摩擦ライニング５が設けられた側の面に対して平行にオフセットされて延びており、この面からブレーキディスク回転軸線２ａ方向、つまり軸方向で、載置面４６の軸方向の奥行きにより間隔を置いている。
【０１４１】
圧接脚片３２は、支持部分４４内に配置されており、圧接脚片３２の当接部分３２ａでもって当接面４５と接触している。同時に圧接脚片３２は、圧接脚片３２の載置部分３２ｂでもって載置面４６に載置されている。こうして圧接脚片３２は、動く際、支持部分４４と接触することで支持部分４４によって案内される。当接面４５および載置面４６は、加工によりこの運動のために特別な摩擦特性を有して構成されていてもよい。
【０１４２】
加えてライニング支持プレート４、ひいてはブレーキパッド３は、ばね端部３００の圧接脚片３２とのこの接触により下向きにパッドチャネルに押し込まれ、かつ緩衝される。拡開装置８が、例えば図１ａに示したように、パッド保持ヨーク２８により固定されている場合、場合によってはブレーキパッド３をパッド保持ばね７なしに構成してもよい。
【０１４３】
図１４は、ブレーキ支持体凸部２５への保持アーチ２１の結合領域の部分拡大図である。傾倒防止手段として、本実施の形態では、拘束板４０が設けられており、拘束板４０は、中央脚片２６に取り付けられており、拘束板４０には、パッド保持ヨーク２８が当接している。
【０１４４】
図１３に示した実施例とは異なり、舌片２９は、端部脚片２７に対して屈曲されておらず、保持アーチ２１を適当に成形することで、端部脚片２７と同じ並びで形成される。
【０１４５】
これと同様の実施変化態様は、図１５に示してある。しかし、図１５に示した実施変化態様の場合、端部脚片２７あるいは舌片２９は、ナット３３により留められている。ナット３３は、ブレーキ支持体凸部２５のねじ山付きスタッドに螺合されており、舌片２９をブレーキ支持体凸部２５に保持している。
【０１４６】
図１６の場合、保持アーチ２１の端部脚片２７とは反対方向に支持舌片３４が屈曲されており、支持舌片３４は、対応するブレーキ支持体凸部２５の端面に載置され、図１１に示した支持脚片３１と同様に、保持アーチ２１、ひいては拡開装置８用の半径方向のリテーニング手段を形成している。
【０１４７】
ブレーキ支持体凸部２５への保持アーチ２１の取り付けの別の一変化態様は、図１７に看取可能である。図１７は、ブレーキ支持体６の対応する領域の部分拡大図である。
【０１４８】
而るに、図１７に示した変化態様では、端部脚片２７は、端部側で中央脚片２６に対して略平行に屈曲され、ブレーキ支持体凸部２５に取り付けられたスタッド３０に嵌められている。
【０１４９】
図１８は、拡開装置８の一実施変化態様を示している。図１８には、ばね腕２０の端部部分を示してあり、ばね腕２０は、一方では、保持アーチ２１の機能を担い、他方では、拡開の機能を担う。
【０１５０】
このために、ばね腕２０は、ばね腕２０の端部領域において長手方向で割裂され、ばねウェブ３８と接続ウェブ３７とを形成している。この場合、端部側に一体成形された屈曲耳部３９を有するばねウェブ３８は、拡開機能を担う。すなわち、ばねウェブ３８は、制動に起因するブレーキパッド３の移動時、ばね力に抗して付勢され、ブレーキの解除後、ブレーキパッド３をその終端位置へ押圧する。屈曲耳部は、付勢方向でも、半径方向でもライニング支持プレート４に当接、つまりライニング支持プレート４の上側のエッジに当接する。
【０１５１】
屈曲耳部３９は、図１１に示した形態に類似して、異なる２つの脚片に分けられ、支持脚片３９ａと、支持脚片３９ａに対して直角に位置する圧接脚片３９ｂとを有している。しかし、本例では、支持脚片３９ａと圧接脚片３９ｂとは、切り分けられているのではなく、屈曲耳部３９の形態で結合されて形成されている。支持脚片３９ａは、ブレーキディスク回転軸線２ａに対して半径方向で載置面４６と接触し、圧接脚片３９ｂは、ブレーキディスク回転軸線２ａに対して平行に軸方向で当接面４５と接触する。
【０１５２】
これに対して接続ウェブ３７には、端部側に、スタッド３０を有する舌片２９が設けられており、スタッド３０は、ブレーキ支持体凸部２５の孔２５ａ（図２６参照）に差し込まれており、これにより、上述したように、制動プロセス後、ブレーキキャリパ１をセンタリングすることができる。
【０１５３】
図１９は、拡開装置８の別の一実施例の中央領域を示している。この拡開装置８の場合、ばね腕２０は、交差する２つの個別ばねから形成されており、両個別ばねは、中央領域で堅固に互いに結合されている。このとき、一方の個別ばねの一方のばね腕２０は、一方のライニング支持プレート４に当接し、この個別ばねの他方のばね腕は、他方の、反対側のライニング支持プレート４に当接する。他方の個別ばねのばね腕２０も同様である。
【０１５４】
ヨーク１２の、図５と同様の取り付けは、図２０に示してある。しかし、図２０の場合、保持アーチ２１を留めるリテーニング手段１３は省略される。その代わりに保持アーチ２１は、特に摩擦結合によりヨーク１２に軸方向で留められ、保持されている。しかし、形状結合によるものであってもよい。その他の点では、ヨーク１２は、対向するブレーキ支持体凸部２５の孔２５ａに差し込まれている。
【０１５５】
これとは別の構造は、図２１に看取可能である。図２１は、保持アーチ２１の取り付け部の部分拡大図である。
【０１５６】
この場合、ヨーク１２は、真っ直ぐなロッドとして形成され、端部側で保持アーチ２１に取り付けられている。保持アーチ２１の端部脚片２７は、中央脚片２６に面一に接続している。端部脚片２７は、ブレーキ支持体凸部２５に挿入された棒体３５に跨がるフォーク形の端部を有する。
【０１５７】
同じくブレーキ支持体凸部２５の領域の部分拡大図である図２２には、拡開装置８のばね腕２０に支持舌片３４が接続されており、支持舌片３４が、ブレーキ支持体凸部２５の支持面３６に当接し、かつ一方では、ブレーキディスク２に対して半径方向で、他方では、ブレーキディスク２に対して軸方向で支持されていることが看取可能である。
【０１５８】
図２３および２４は、図２に示した形態と同様の、拡開装置８のそれぞれ１つの実施変化態様を示している。両実施変化態様の拡開装置８は、ばねヨーク１４と当接脚片２２とからなっている。ばねヨーク１４と当接脚片２２とは、端部側でそれぞれ１つの取り付け端部１４ａ，２２ａでもって懸架部１５に挿入されている。懸架部１５は、ライニング支持プレート４に取り付けられている。
【０１５９】
この場合、ばねヨーク１４と当接脚片２２とは、互いにずらされて、懸架部１５の互いに反対側の面に取り付けられているとともに、他方では、ブレーキ支持体６に、具体的には、図２３に示した例では、ライニング支持プレート４の下方で、そして、図２４に示した例では、ブレーキ支持体凸部２５に支持されている。
【０１６０】
懸架部１５は、縦長の長方形のプレートとして２つの長側面１５ａ，１５ｂを有して形成されている。本実施変化態様では、対角方向で互いに反対側に位置する２つの端部が丸み付けられている。ばねヨーク１４の取り付け端部１４ａは、図２４で見て上側に位置する狭幅の長側面１５ａにおいて中央から右側に外れたところで懸架部１５に結合されているのに対し、当接脚片２２の取り付け端部２２ａは、下側に位置する他方の狭幅の長側面１５ｂにおいて中央から左側に外れたところで懸架部１５に結合されている。
【０１６１】
ばねヨーク１４および当接脚片２２の他方の端部は、斜めに互いに接近するように延び、結合アーチ２２０により堅固に結合されている。
【０１６２】
懸架部１５のプレートには、本実施変化態様では、取り付け用、例えばねじまたはリベットによる取り付け用の２つの取り付け穴１５ｃが設けられている。
【０１６３】
図２５は、別の一実施例を示している。本実施例は、図８ないし１１に示した実施例に類似しているが、幾つかの相違点を有して構成されている。
【０１６４】
保持アーチ２１とばね腕２０とは、本実施例では、一体に、例えば打ち抜き曲げ部材として形成されており、中央の領域で１つの共通のベース部分４２により堅固に結合されている。ベース部分４２は、開口４１のバーチャルな中心に位置し、ブレーキディスク２に対して接線方向で延びる一平面内に位置する。
【０１６５】
このベース部分４２からは、保持アーチ２１の中央脚片２６が、両側に、下向きに曲げられ、ブレーキディスク２にわたって、図４に示した実施例に示すように、フラットなストリップ部分として、開口４１の側方を画定するストラット１ｃの直前まで延在している。ストラット１ｃの直前の箇所で、両中央脚片２６は、ブレーキキャリパ１の作動部１ａに向かって曲げられ、それぞれ、端部脚片２７へ移行している。
【０１６６】
各端部脚片２７は、図８に示した実施例に類似した、スタッド３０を有する舌片２９を有するが、舌片２９が拡幅されていない点で相違する。各端部脚片２７の舌片２９は、舌片２９が対応するブレーキ支持体凸部２５に載置されているように一平面内で延びている。その際、スタッド３０は、孔２５ａ内に（図２６に示した実施例に類似した形で）収容され、ブレーキ支持体凸部２５に取り付けられている。このことは、当然のことながら、両サイドおよび両ブレーキ支持体凸部２５にも当てはまる。
【０１６７】
さらにベース部分４２は、ベース部分４２の両長辺に、約９０゜下向きにブレーキディスク２に向かって曲げられたそれぞれ１つの結合部分４３を有する。各結合部分４３は、ベース部分４２の各長辺においてそれぞれ２つのばね腕２０をベース部分４２に、開口４１の仮想の長手方向中央線に対して平行に結合し、図８に類似のアッセンブリを生じる。その際、各結合部分４３は、ベース部分４２の平面に対して約９０゜に配置されブレーキディスク２の平面に対して略平行に延びるそれぞれの平面内に位置する。
【０１６８】
ばね腕２０のばね端部３００は、図８および図１１に示した実施例に図示し、説明したのと同様に形成されている。
【０１６９】
図２６は、別の一実施例を示しており、本実施例では、保持アーチ２１は、線材形に形成されており、例えば円形の横断面を有する。
【０１７０】
保持アーチ２１は、中央部分２６ａを開口４１の中央の領域に有する。中央部分２６ａの各側には、中間部分２６が接続しており、中間部分２６は、それぞれ弧状に作動部１ａに向かって端部脚片２７によりそれぞれのブレーキ支持体凸部２５に接近している。各端部脚片２７は、その後、下向きに約９０°曲げられてそれぞれ１つの取り付け部分２７ａに移行している。各取り付け部分２７ａは、作用側のブレーキパッド３のパッドチャネルの各ブレーキ支持体凸部２５の孔２５ａ内に取り付けられており、これにより、保持アーチ２１を拡開装置８共々、ブレーキ支持体６内に保持している。
【０１７１】
ばね腕２０は、本実施例では、開口４１の長手方向ではなく、開口４１の横方向でそれぞれペア状に結合部分２００により結合されている。各結合部分２００は、半径方向でブレーキディスク回転軸線２ａに向かって下向きに拡幅されており、凹所２０１を有する。各凹所２０１は、保持アーチ２１の外側輪郭に対応し、本実施例では、保持アーチ２１を受容すべく上向きに開いた半円形の横断面を有する。このようにペア状に配置されるばね腕２０の結合部分２００は、間隔２０３を置いて保持アーチ２１の中央部分２６ａに配置されており、中央部分２６ａの中央は、開口４１のバーチャルな中心に対応し、間隔２０３の中間を形成している。間隔２０３の寸法は、本実施例では、開口４１の長手方向延在長さの約４分の１に相当する。間隔２０３の寸法は、開口４１のバーチャルな中心に関して対称に、あるいは開口４１のバーチャルな中心に関わりなく、例えば開口４１の長手方向延在長さの３０〜５０％の範囲内にあってもよい。ばね腕２０は、例えば溶接もしくはプレス接合またその両方により保持アーチ２１に結合可能である。
【０１７２】
ばね腕２０と、ばね腕２０の結合部分２００とは、例えば一体に打ち抜き曲げ部材として帯状ばね鋼から形成されている。
【０１７３】
図２７の実施例では、保持アーチ２１は、図２６に示した形態と同様に構成されている。しかし、本実施例では、ペア状に開口４１の横方向で配置されるばね腕２０は、その結合部分２００も含めて線材形に形成されている。結合部分２００は、保持アーチ２１の受容部を形成するように曲げられている。ばね腕２０は、上向きにそれぞれ保持アーチ２１により固定されており、保持アーチ２１は、他方、パッド保持ヨーク２８により下向きに押圧される。ライニング摩耗が増加するにつれ、結合部分２００は、互いに接近するように中央に向かって移動する。
【０１７４】
ばね腕２０の端部は、それぞれ、下向きに曲げられた取り付け部分２０ａとして形成されている。各取り付け部分２０ａは、ライニング支持プレート４の各端部領域に上面から設けられた収容穴４ａ内に収容されている。こうして拡開装置８は、その拡開力を、対応する収容穴４ａ内に収容された各取り付け部分２０ａ間でそれぞれのライニング支持プレート４に伝達している。
【０１７５】
図２８は、保持アーチ２１が、図２６および２７に示した形態と同様にＣ字形に形成されている一実施例を示している。ばね腕２０は、図１１に示したばね端部３００を有する。加えてばね腕２０は、ペア状に開口４１の横方向で配置されている。ばね腕２０の各ペアは、その他方の端部でそれぞれのフード状結合部２０２により結合されている。
【０１７６】
各フード状結合部２０２は、下向きにブレーキディスク２に向いた受容開口を保持アーチ２１の中央部分２６ａの長手方向で有し、受容開口は、保持アーチ２１の中央部分２６ａの外側輪郭に対応している。
【０１７７】
ペア状にそれぞれ１つのフード状結合部２０２に結合されたばね腕２０は、それぞれのフード状結合部２０２でもって中央部分２６ａ上に配置されている。両ばね腕２０あるいは拡開要素を保持アーチ２１に固定すべく、それぞれ２つの留め具が設けられており、留め具は、半シェルからなり、互いにずらされて拡開要素を保持アーチ２１にクランプ固定している。間隔２０３を保証すべく、付加的にさらに溶接点が構成部材間に配置される。付加的に留め具は、保持アーチ２１とばね腕２０との間のスペーサとして用いられる。このことは、図２８に示した形態において必要である。それというのも、硬化されたばね腕２０は、それほど小さな半径では保持アーチ２１に載置され得ないからである。
【０１７８】
図２９は、ディスクブレーキ１００をブレーキディスク２とブレーキディスク回転軸線２ａとともに示す斜視図である。
【０１７９】
ブレーキディスク回転軸線２ａ回りの回転矢印は、ディスクブレーキ１００が配設された車両の前進走行時の主回転方向を略示している。ブレーキディスク２の主回転方向に関して、ディスクブレーキ１００には、回入側ＥＳが規定され、その反対側に回出側ＡＳが規定されている。これに応じて、ブレーキ支持体凸部２５について、回入側ＥＳにあるものは、回入側のブレーキ支持体凸部２５といい、回出側ＡＳにあるものは、回出側のブレーキ支持体凸部２５という。
【０１８０】
本実施例において、拡開装置８は、図２８に示した実施例の拡開装置８と実質的に同様に構成されている。しかし、図２８に示した実施例との相違点は、図２９の場合、フード状結合部２０２が保持アーチ２１の両側でそれぞれ１つの長手方向結合部２０２ａにより結合されている点にある。このために本形態は、付加的な留め具を有しない。拡開装置８は、図２８とは異なり、４つのばね腕２０を有する１つの部材からなる。
【０１８１】
好ましい形態では、ばね腕２０の長さは、全体として開口４１の長手方向でパッドチャネル長さの約６０〜９５％、特に好ましくはパッドチャネル長さの７０〜８０％に相当する。パッドチャネル長さとは、対応するブレーキ支持体凸部２５の間隔と解されるべきである。
【０１８２】
拡開装置８は、２つの拡開要素からなり、拡開要素は、長手方向で互いに結合されている。両拡開要素は、（ブレーキ支持体凸部２５に関して）中央で互いに結合されている。これにより、小さな公差範囲内で同じばね力が、回入側でも、回出側でも保証され得る。回出側ＡＳと回入側ＥＳとの間の異なるばね力は、偏摩耗に至らしめるおそれがあるが、ブレーキパッド毎に１つのばね腕２０が片面で作用することで最小化される。両拡開要素間の中央のウェブは、溶接シームにより保持アーチ２１に結合されてもよい。
【０１８３】
作用側および反作用側あるいは作動部１ａ側（加圧部材側）およびキャリパ背部１ｂ側（キャリパ側）でのばね腕２０の均等な力の印加は、中央ウェブ、すなわち保持アーチ２１の柔軟な調整により実現可能である。さらに、柔軟な中央ウェブにより、ブレーキディスク、摩擦ライニング５およびライニング支持プレート４の小さな幾何学的なエラー位置は、補償可能である。
【０１８４】
中央ウェブにより、能動型の戻し装置（ａｋｔｉｖｅ  Ｒｕｅｃｋｓｔｅｌｌｅｉｎｒｉｃｈｔｕｎｇ：ＡＣＲ）は、容易にポジショニングされ、パッド保持ヨーク２８により押さえられることができる。有利には、パッド交換時、拡開装置８は、問題なく取り外され、一緒に交換され得る。
【０１８５】
ブレーキ支持体凸部２５間のパッドチャネル長さ全体を利用することで、極めて低いばねレートを有する拡開要素あるいはばね腕２０が使用可能であり、これにより、ライニングが摩耗したときでも、略一定の力を加えることができる。長いばねたわみにより、ばね腕２０は、ばね力について広い許容範囲を有していることができる。このばねたわみは、狭い公差を有する一定のばねレートに至る。
【０１８６】
一実施変化態様では、２つのばねだけが使用され得る。
【０１８７】
拡開要素、すなわちばね腕２０は、幾何学的に柔軟な低コストの金属薄板から形成され得る。
【０１８８】
異なる回転点をもったずれにより、より低いばねレートが形成され得る（図２、２３および２４参照）。有利には、少ない巻き数しか必要でない。
【０１８９】
図３０は、ディスクブレーキ１００のさらに別の一実施例の斜視図である。図３１は、図３０に示したディスクブレーキ１００の実施例の拡開装置８の斜視図である。図３１に示した拡開装置８の拡大詳細図は、図３２および３３に示してある。
【０１９０】
この別の実施例は、図２８および２９に示したディスクブレーキ１００の実施例に類似して構成されている。それゆえ相違点についてのみ説明する。
【０１９１】
拡開装置８は、本実施例では、縦長の取り付け部分２０ａをばね腕２０のばね端部３００に有している。これらの取り付け部分２０ａは、取り付け部分２０ａのそれぞれの長手方向で長穴４８を有して形成されており、長穴４８は、拡開装置８のばね端部３００用のガイド部分として用いられる。
【０１９２】
取り付け部分２０ａは、その長穴４８でもって、ディスクブレーキ１００が組み立てられた状態で、それぞれ１つの棒体４７と、例えば図３２に明瞭に看取可能であるように協働する。この場合、棒体４７の外面は、ライニング支持プレート４の当接面を有する。ライニング支持プレート４の各端部において、棒体４７は、堅固にライニング支持プレート４に結合、例えば孔内に挿入されている。その際、棒体４７の、ライニング支持プレート４から突出した端部は、拡開装置８のそれぞれのばね端部３００の対応する長穴４８を貫いて延在している。これらの棒体４７の中心軸線は、互いに平行に、かつブレーキディスク回転軸線２ａに対して垂直に延びている。長穴４８は、拡開装置８のばね腕２０と、ブレーキディスク回転軸線２ａ方向で移動するブレーキパッド３との間の相対運動を可能にする。ばね腕２０のばね力は、既に上述したように、制動後にブレーキパッド３をブレーキディスク２から解離し、戻すことを可能にする。棒体４７用の孔は、他方、ブレーキディスク２の中央に関して極めて正確に配置されている。これには、図１３ａとの関連で許容誤差について述べた上記記載も当てはまる。
【０１９３】
その際、取り付け部分２０ａは、それぞれのライニング支持プレート４の載置面４ｃにそれぞれ載置される。載置面４ｃは、ブレーキディスク２に対して接線方向で延び、ブレーキパッド３毎に一平面内に位置する。
【０１９４】
拡開装置８の構成は、図３１に示してある。
【０１９５】
拡開装置８は、それぞれ２つのばね腕２０を有する２つの拡開要素と、留め具と、保持アーチ２１とを有する。
【０１９６】
フード状結合部２０２は、両側でそれぞれ、ばね腕２０のそれぞれ１つの延長部を形成する結合部分２０ｂに結合されており、一種のスリーブ形状をなして保持アーチ２１の中央部分２６ａを取り巻くように曲げられている。こうして各フード状結合部２０２は、対応する２つのばね腕２０とともに保持アーチ２１の中央部分２６ａ上に回動可能に支持されており、ばね腕２０は、フード状結合部２０２により互いに結合されている。
【０１９７】
留め具は、本明細書では長手方向結合部２０２ａと称する中央ウェブと、リテーニング要素２６ｃとしての４つの折り返し舌片と、ばね腕２０をライニング支持プレート４に押さえ付ける働きをする拡幅部２６ｂとしての４つの押さえとを有する。
【０１９８】
拡幅部２６ｂは、それぞれ両側で、保持アーチ２１の中央部分２６ａが中央脚片２６へと移行するところでばね腕２０の結合部分２０ｂに載置されている。こうして拡幅部２６ｂは、フード状結合部２０２が中央部分２６ａから持ち上がってしまうことを防止している。同時に拡幅部２６ｂは、中央部分２６ａの長手方向軸線方向で外方に、すなわちそれぞれ開口４１の中央から外方にストラット１ｃへと向かう、ばね腕２０が取り付けられたフード状結合部２０２用の軸方向のストッパを形成している（図３０および３３参照）。
【０１９９】
ばね腕２０のそれぞれ２つの結合部分２０ｂは、その自由端部でもって開口４１の中央に向かっており、それぞれ、その端部領域においてリテーニング要素２６ｃと結合されている。リテーニング要素２６ｃは、それぞれ２つの折り返し舌片からなり、折り返し舌片は、それぞれ一方の端部でもって、結合部分２０ｂのそれぞれ１つの端部領域に設けられた溝２６ｄ内に固定されている。こうしてリテーニング要素２６ｃは、フード状結合部２０２が中央部分２６ａから解離しないようにする別のリテーニング手段を形成している。
【０２００】
図３０に示した形態とは異なり、本実施例では、４つの留め具の代わりに１つの留め具しか必要でない。拡開要素の張設は、留め具のリテーニング要素２６ｃとしての折り返し舌片により保証され、折り返し舌片は、組み立て時に折り返され、溝２６ｄ内に係合させられる。而して拡開要素は、中央に向かって滑動したり、ライニング支持プレート４に対して傾動したりしないように留められている。
【０２０１】
留め具の中央ウェブ（長手方向結合部２０２ａ）がさらに縦通しているため、留め具も、もはや軸方向で保持アーチ２１上を滑動し得ない。それゆえ、溶接シームその他の固定手段は省略可能である。付加的に留め具は、再びスペーサとしても用いられる（図２８参照）。
【０２０２】
図３４は、別の拡開装置８の斜視図である。図３５は、この拡開装置８に対応するライニング支持プレート４のライニング側４ｂを示す図である。図３６は、圧接脚片３２を輪郭５０とともに示す拡大図である。
【０２０３】
この別の拡開装置８の構成は、図５および図１３に示した形態の構成と類似している。図５および図１３に示した形態とは異なり、この別の拡開装置８の場合、ばね腕２０のばね端部３００は、ガイド開口３２ｃを有するそれぞれ１つの圧接脚片３２を有する。ガイド開口３２ｃは、この別の拡開装置８の場合、スタッド５１の形態の柱形の突出部として形成されている輪郭５０とそれぞれ協働する。
【０２０４】
輪郭５０は、干渉輪郭とも称され、例えばスタッド５１としてライニング支持プレート４のライニング側４ｂに一体に鋳造されている。この場合、必要とされる鋳造半径５１ａは、ライニング支持プレート４内にオフセットされて延びていてもよい。スタッド５１は、ライニング側４ｂからブレーキディスク回転軸線２ａ方向で突出している。各角隅、すなわち、パッド保持ばね７を保持する突出部４９と、側縁との間には、それぞれ１つのスタッド５１が設けられている。各スタッド５１を取り巻くように、当接面４５が配置されている。
【０２０５】
圧接脚片３２は、組み立て時、そのガイド部分３２ｃでもってそれぞれの干渉輪郭５０上に装着される。その際、各スタッド５１は、圧接脚片３２の対応するガイド部分３２ｃを貫いて延在する。圧接脚片３２は、その当接部分３２ａを介してライニング支持プレート４のそれぞれの当接面４５と接触する。
【０２０６】
こうして、ディスクブレーキ１００の操作時、各ガイド部分３２ｃは、圧接部分３２でもって側方にスタッド５１に対して移動可能であり、ガイド部分３２ｃは、各ばね腕２０を半径方向で案内している。しかし、半径方向では、形状結合を介して両半径方向で、ばね腕２０の滑脱は防止される。而して振動その他の外乱が系の機能に悪影響を及ぼすことは回避可能である。
【０２０７】
ガイド部分３２ｃは、長穴として形成されており、長穴は、好ましくはインボリュート形に構成されている。
【０２０８】
輪郭５０の構成は、上述の干渉輪郭とは別の形態を呈していてもよい。図３７は、図３４に示した拡開装置８の一変化態様の斜視図である。図３８は、輪郭５０を有する圧接脚片３２の拡大図であり、輪郭５０は、本変化態様では、長方形の底面を有するプリズム状の突出部５２として形成されている。
【０２０９】
輪郭５０は、図３４ないし３８に示すように軸方向で構成されている。すなわち輪郭５０は、ライニング支持プレート４からブレーキディスク回転軸線２ａに対して平行な方向で突出している。輪郭５０は、干渉輪郭としてブレーキディスク２あるいはそのブレーキディスク回転軸線２ａに関して半径方向および／または接線方向で設けられていてもよい。
【０２１０】
図３９は、干渉輪郭として半径方向で構成された輪郭５０を示している。この場合、突出部５３は、ライニング支持プレート４の上側の各角隅において、ライニング支持プレート４の上面のそれぞれ１つの斜めの載置面４ｃに一体成形されている。
【０２１１】
図４０は、接線方向の輪郭５０を示している。この場合も、突出部５４は、同様に上側の各角隅に一体成形されているが、しかし、それぞれ側面４ｄに設けられている。
【０２１２】
別の一変化態様は、図４１に示してある。本変化態様の場合、輪郭５０は、直方体形のガイド突出部５５として、ライニング支持プレート４の角隅領域の上側のエッジの下方で、ライニング支持プレート４のライニング側４ｂに設けられている。ガイド突出部５５の下側の面は、ガイド面５５ａとして圧接脚片３２の第２の当接部分３２ｄの上側の面と接触する。ガイド面５５ａは、ライニング支持プレート４の当接面４５に対して略直角に延びている。圧接脚片３２は、本変化態様では、ガイド開口３２ｃを有しないが、その第１の当接部分３２ａ（図１３も参照）でもって当接面４５と接触する。この接触は、軸方向での接触であるのに対し、当接部分３２ｄは、ガイド突出部５５により半径方向で規制されている。第１の当接部分３２ａは、第２の当接部分３２ｄに対して直角に位置する。第２の当接部分３２ｄは、簡単に圧接脚片３２の上側の側面により形成されている。而して当接部分３２ｄは、ガイド部分に対して相対的に側方に可動である。
【０２１３】
さらに輪郭５０は、あらゆる形態で構成されてもよく、凹設または凸設されてもよい。凹設された輪郭５０の場合、これに応じて、ばね腕２０の圧接脚片３２は、輪郭５０に合ったガイド輪郭をガイド部分３２ｃに有して構成されている。設けられる輪郭５０の数は、構成次第で変更可能である。
【０２１４】
輪郭５０は、パッドコーディングを形成することもできる。例えば作動側のブレーキパッド３は、輪郭５０としてスタッド５１を有し、背部側のブレーキパッド３は、プリズム状の突出部５２を有するようにしてもよい。
【０２１５】
図４２〜４４は、付加的な戻し要素を有する拡開装置を備えるディスクブレーキ１００のさらに別の一実施例を示す図である。
【０２１６】
図４２は、戻し要素５７を有する作動側あるいは内側のブレーキパッド３のライニング支持プレート４のプレッシャ側４ｆの斜視図である。図４３は、別の戻し要素６２を有する背部側あるいは外側のブレーキパッド３を備えるディスクブレーキの、ブレーキディスク回転軸線２ａを通る一平面内の断面図である。図４４は、戻し要素６６，６７が取着された拡開装置８の一変化態様を示す、ブレーキパッド３を備えるディスクブレーキの、ブレーキディスク回転軸線２ａを通る一平面内の断面図である。
【０２１７】
ライニング支持プレート４のプレッシャ側４ｆは、ライニング支持プレート４の、摩擦ライニング５を担持せず、作動装置またはキャリパ背部１ｂと接触する側である。
【０２１８】
戻し要素５７，６２；６６，６７は、それぞれ、制動プロセス後にブレーキパッド３をブレーキディスク２から戻す補助をする。その際、ばね腕２０の上面における単数または複数の作用点に加えて、戻し要素５７，６２；６６，６７は、一部分でもってそれぞれのライニング支持プレート４に下側の領域で作用し、別の一部分でもって、戻し要素５７，６２；６６，６７に対して相対的に不動の部分、例えばブレーキキャリパ１または／およびブレーキ支持体に結合されている。
【０２１９】
このために戻し要素５７は、図４２に示した形態では、一部分でもってライニング支持プレート４のプレッシャ側４ｆにおける下側の領域で保持部分５６に取り付けられている。保持部分５６は、本形態では、ピンまたはスタッド形の突出部として形成されている。加えて戻し要素５７は、別の一部分でもってブレーキキャリパ１の作動部１ａのベースプレート１ｅ（図２９参照）の下側の領域に取着されている。
【０２２０】
戻し要素５７は、本形態では、１つの中央部分５８と、２つのばね腕５９と、２つの取り付け部分６０とを有するばね要素であり、取り付け部分６０は、それぞれ１つのＵ字形の舌片６１を有する。中央部分５８は、中央で保持部分５６にクランプ結合／つめ結合を介して結合されている。中央部分５８は、各側で対称にそれぞれのばね腕５９に移行している。各ばね腕５９は、中央部分５８から左右にライニング支持プレート４の下側の領域においてこれに沿うように延在し、ライニング支持プレート４の輪郭に合わせて成形されている。各ばね腕５９の端部は、それぞれ、取り付け部分６０に結合されている。各取り付け部分６０は、Ｕ字形の弧が互いに一直線に並び、かつブレーキディスク回転軸線２ａに対して接線方向で位置するように成形されている。取り付け部分６０の、それぞれベースプレート１ｅに向かう脚片は、外向きに舌片６１として延び、ベースプレート１ｅの既存のねじによりベースプレート１ｅに固定するためのそれぞれ１つの取り付け孔を有するように拡幅している。
【０２２１】
背部側のブレーキパッド３には、別の戻し要素６２が、図４３に示すように設けられている。
【０２２２】
別の戻し要素６２は、一種の板ばねとして、ばね端部６４，６５を１つずつ有するばね体６３を有して形成されている。一方のばね端部６４は、外側のライニング支持プレート４の下側の領域でライニング支持プレート４のプレッシャ側４ｂにおいて保持部分５６ａ（例えばアイ）に撓曲自在に取り付けられている。他方のばね端部６５は、好適な形態では、ブレーキキャリパ１のキャリパ背部１ｂの取り付け部分１ｄにつめにより掛止されている。
【０２２３】
こうして戻し要素５７，６２は、それぞれ、引っ張り力をブレーキディスク２から離間するブレーキディスク回転軸線２ａ方向で働かせ、これにより、ブレーキパッド３には、各制動プロセス後、拡開装置８のばね腕２０に加えて、下側の領域で戻し要素５７，６２により戻しのために力が加えられる。
【０２２４】
図４４に示した形態では、例えば板ばねまたは／および線材ばねといったばね形態の、対向する２つの戻し要素６６，６７が、それぞれ一方の端部でもって拡開装置８の保持アーチ２１の中央部分２６ａに取り付けられている。この取り付け点から、各戻し要素６６，６７は、弧状に下向きにブレーキディスク回転軸線２ａに向かって各ブレーキパッド３の下側の領域まで延在している。各戻し要素６６，６７は、それぞれ１つの圧接脚片６６ａ，６７ａを有する自由端部を有し、それぞれ、摩擦ライニング５と、ライニング支持プレート４のライニング側４ｂとの間の縦長の中間室内に配置されており、圧接脚片６６ａ，６７ａのそれぞれは、それぞれのライニング支持プレート４と接触している。本形態において、戻し要素６６，６７は、それぞれ、押圧力をブレーキディスク２から離間するブレーキディスク回転軸線２ａ方向で働かせ、これにより、ブレーキパッド３には、各制動プロセス後、拡開装置８のばね腕２０に加えて、下側の領域で戻し要素６６，６７により戻しのために力が加えられる。
【０２２５】
戻し要素５７，６２；６６，６７は、例えばパッド保持ヨーク２８または／およびその取着部分に取着されていてもよい。
【０２２６】
本発明は、上述の実施例に限定されるものではない。本発明は、添付の特許請求の範囲内で変更可能である。
【０２２７】
而して、図３０、３１、３２または図３４、３７に示した拡開装置８の、図示しない、ただし容易に想像可能な別の変化態様では、ばね端部３００が、圧接脚片３２でもって突出部４９を介してパッド保持ばね７上に装着されていてもよい。換言すれば、突出部４９は、ばね腕２０のそれぞれの圧接脚片３２の、突出部４９に適合されたガイド開口３２ｃを貫いて延在し、ばね腕２０は、これに対して相応に成形されている。
【符号の説明】
【０２２８】
１  ブレーキキャリパ
１ａ  作動部
１ｂ  キャリパ背部
１ｃ  ストラット
１ｄ  取り付け部分
１ｅ  ベースシート
２  ブレーキディスク
２ａ  ブレーキディスク回転軸線
３  ブレーキパッド
４  ライニング支持プレート
４ａ  収容穴
４ｂ  ライニング側
４ｃ  載置面
４ｄ，４ｅ  側面
４ｆ  プレッシャ側
５  摩擦ライニング
６  ブレーキ支持体
７  パッド保持ばね
７ａ  クリップ要素
８  拡開装置
９  帯状ばね
１０  スリット
１１  舌片
１１ａ  加圧部分
１２  ヨーク
１３  リテーニング手段
１４  ばねヨーク
１４ａ  取り付け端部
１５  懸架部
１５ａ，１５ｂ  長側面
１５ｃ  取り付け穴
１６  はさみ状機構部材
１７  板ばね
１８  ばね脚片
１９  当接部
２０  ばね腕
２０ａ  取り付け部分
２０ｂ  結合部分
２１  保持アーチ
２２  当接脚片
２２ａ  取り付け端部
２３  ドーム
２４  当接ヨーク
２５  ブレーキ支持体凸部
２５ａ  孔
２６  中央脚片
２６ａ  中央部分
２６ｂ  拡幅部
２６ｃ  リテーニング要素
２６ｄ  溝
２７  端部脚片
２７ａ  取り付け部分
２８  パッド保持ヨーク
２９  舌片
３０  スタッド
３１  支持脚片
３１ａ  載置部分
３２  圧接脚片
３２ａ  当接部分
３２ｂ  載置部分
３２ｃ  ガイド開口
３２ｄ  当接部分
３３  ナット
３４  支持舌片
３５  棒体
３６  支持面
３７  接続ウェブ
３８  ばねウェブ
３９  屈曲耳部
３９ａ  支持脚片
３９ｂ  圧接脚片
４０  拘束板
４１  開口
４２  ベース部分
４３  結合部分
４４  支持部分
４５  当接面
４６  載置面
４７  棒体
４８  長穴
４９  突出部
５０  輪郭
５１  スタッド
５１ａ  鋳造半径
５２，５３，５４  突出部
５５  ガイド突出部
５５ａ  ガイド面
５６，５６ａ  保持部分
５７  戻し要素
５８  中央部分
５９  ばね腕
６０  取り付け部分
６１  舌片
６２  戻し要素
６３  ばね体
６４，６５  ばね端部
６６，６７  戻し要素
６６ａ，６７ａ  ばね端部
１００  ディスクブレーキ
１５０  結合部
１５１，１５２  軸受
２００  結合部分
２０１  凹所
２０２  フード状結合部
２０２ａ  長手方向結合部
２０３  間隔
２２０  結合アーチ
３００  ばね端部
３０１  スリット
３０２  運動方向
３０３  当接面
３０４  突出部
３０５  載置面
３０６  角度
【図１】
0006792571.tif 000002
【図１ａ】
0006792571.tif 000003
【図２】
0006792571.tif 000004
【図３】
0006792571.tif 000005
【図４】
0006792571.tif 000006
【図５】
0006792571.tif 000007
【図６】
0006792571.tif 000008
【図７】
0006792571.tif 000009
【図８】
0006792571.tif 000010
【図９】
0006792571.tif 000011
【図１０】
0006792571.tif 000012
【図１１】
0006792571.tif 000013
【図１２】
0006792571.tif 000014
【図１３】
0006792571.tif 000015
【図１３ａ】
0006792571.tif 000016
【図１４】
0006792571.tif 000017
【図１５】
0006792571.tif 000018
【図１６】
0006792571.tif 000019
【図１７】
0006792571.tif 000020
【図１８】
0006792571.tif 000021
【図１９】
0006792571.tif 000022
【図２０】
0006792571.tif 000023
【図２１】
0006792571.tif 000024
【図２２】
0006792571.tif 000025
【図２３】
0006792571.tif 000026
【図２４】
0006792571.tif 000027
【図２５】
0006792571.tif 000028
【図２６】
0006792571.tif 000029
【図２７】
0006792571.tif 000030
【図２８】
0006792571.tif 000031
【図２９】
0006792571.tif 000032
【図３０】
0006792571.tif 000033
【図３１】
0006792571.tif 000034
【図３２】
0006792571.tif 000035
【図３３】
0006792571.tif 000036
【図３４】
0006792571.tif 000037
【図３５】
0006792571.tif 000038
【図３６】
0006792571.tif 000039
【図３７】
0006792571.tif 000040
【図３８】
0006792571.tif 000041
【図３９】
0006792571.tif 000042
【図４０】
0006792571.tif 000043
【図４１】
0006792571.tif 000044
【図４２】
0006792571.tif 000045
【図４３】
0006792571.tif 000046
【図４４】
0006792571.tif 000047